(57)【特許請求の範囲】
【請求項１】
記録媒体に記録されるデータを管理する情報処理装置であって、
前記記録媒体に記録されており、前記記録媒体のフォーマット処理により作成されるディレクトリ構造下において管理されるファイル群であるフォーマットの全体、および、前記フォーマットに属する各ファイルを管理するファイルであるインデックスファイルに含まれる、前記フォーマットを識別する識別子を複製する複製手段と、
前記フォーマットのタイトルを含む、前記フォーマット全体の内容を説明するラベル情報、並びに、前記複製手段により複製された前記識別子を含むディスクメタデータファイルを作成する作成手段と、
前記作成手段により作成された前記ディスクメタデータファイルを、前記インデックスファイルと異なるファイルとして前記記録媒体の前記フォーマット内に記録する記録手段と
を備えることを特徴とする情報処理装置。
【請求項２】
前記識別子は、前記識別子の作成時刻を示す時刻情報、並びに、前記識別子を作成する装置を、ネットワーク上のノードとして識別するためのノード識別子を含む
ことを特徴とする請求項１に記載の情報処理装置。
【請求項３】
前記識別子は、前記識別子作成時に生成される乱数値をさらに含む
ことを特徴とする請求項２に記載の情報処理装置。
【請求項４】
前記識別子は、他の識別子と区別するための所定の固定値をさらに含む
ことを特徴とする請求項２に記載の情報処理装置。
【請求項５】
前記ラベル情報を設定する設定手段をさらに備え、
前記作成手段は、前記複製手段により複製された前記識別子、および、前記設定手段により設定された前記ラベル情報を含む前記ディスクメタデータファイルを作成する
ことを特徴とする請求項１に記載の情報処理装置。
【請求項６】
前記ラベル情報は、前記記録媒体に記録されている画像データの全フレーム画像を代表する画像であり、前記フォーマット全体の内容を示す代表フレーム画像に関する情報を含み、
前記設定手段は、前記代表フレーム画像を、前記記録媒体に記録されている各クリップの代表フレーム画像の中から選択的に設定する
ことを特徴とする請求項５に記載の情報処理装置。
【請求項７】
前記ラベル情報は、前記記録媒体に記録されている画像データの全フレーム画像を代表する画像であり、前記フォーマット全体の内容を示す代表フレーム画像に関する情報を含み、
前記設定手段は、前記代表フレーム画像の設定指示が無い場合、最初のクリップの先頭フレーム画像を前記代表フレーム画像に設定する
ことを特徴とする請求項５に記載の情報処理装置。
【請求項８】
前記ディスクメタデータファイルに含まれる識別子と、前記記録媒体に記録されている前記インデックスファイルに含まれる識別子とを比較する比較手段をさらに備え、
前記記録手段は、前記比較手段による比較の結果、前記ディスクメタデータファイルに含まれる識別子が前記インデックスファイルに含まれる識別子と一致すると判定された場合のみ、前記ディスクメタデータファイルを前記記録媒体の前記フォーマット内に記録する
ことを特徴とする請求項１に記載の情報処理装置。
【請求項９】
前記記録媒体より前記ディスクメタデータファイルを読み出す読み出し手段と、
前記読み出し手段により読み出された前記ディスクメタデータファイルに含まれる前記ラベル情報を更新する更新手段と
をさらに備え、
前記比較手段は、前記更新手段により前記ラベル情報が更新された前記ディスクメタデータファイルに含まれる識別子と、前記記録媒体に記録されている前記インデックスファイルに含まれる識別子とを比較し、
前記記録手段は、前記比較手段による比較の結果、前記ディスクメタデータファイルに含まれる識別子が前記インデックスファイルに含まれる識別子と一致すると判定された場合のみ、前記ディスクメタデータファイルを前記記録媒体の前記フォーマット内に記録する
ことを特徴とする請求項８に記載の情報処理装置。
【請求項１０】
記録媒体に記録されるデータを管理する情報処理装置の情報処理方法であって、
前記記録媒体に記録されており、前記記録媒体のフォーマット処理により作成されるディレクトリ構造下において管理されるファイル群であるフォーマットの全体、および、前記フォーマットに属する各ファイルを管理するファイルであるインデックスファイルに含まれる、前記フォーマットを識別するための識別子を複製する複製ステップと、
前記フォーマットのタイトルを含む、前記フォーマット全体の内容を説明するラベル情報、並びに、前記複製ステップの処理により複製された前記識別子を含むディスクメタデータファイルを作成する作成ステップと、
前記作成ステップの処理により作成された前記ディスクメタデータファイルを、前記インデックスファイルと異なるファイルとして前記記録媒体の前記フォーマット内に記録するように制御する記録制御ステップと
を含むことを特徴とする情報処理方法。
【請求項１１】
記録媒体に記録されるデータを管理する処理をコンピュータに行わせるプログラムにおいて、
前記記録媒体に記録されており、前記記録媒体のフォーマット処理により作成されるディレクトリ構造下において管理されるファイル群であるフォーマットの全体、および、前記フォーマットに属する各ファイルを管理するファイルであるインデックスファイルに含まれる、前記フォーマットを識別するための識別子を複製する複製ステップと、
前記フォーマットのタイトルを含む、前記フォーマット全体の内容を説明するラベル情報、並びに、前記複製ステップの処理により複製された前記識別子を含むディスクメタデータファイルを作成する作成ステップと、
前記作成ステップの処理により作成された前記ディスクメタデータファイルを、前記インデックスファイルと異なるファイルとして前記記録媒体の前記フォーマット内に記録するように制御する記録制御ステップと
をコンピュータに実行させることを特徴とするプログラム。
【請求項１２】
データを管理する情報処理装置により再生されるデータが記録されている記録媒体において、
前記記録媒体のフォーマット処理により作成されるディレクトリ構造下において管理されるファイル群であるフォーマットを識別する識別子を含み、前記フォーマットの全体、および、前記フォーマットに属する各ファイルを管理するファイルであるインデックスファイルと、前記識別子と同一の識別子を含み、さらに前記フォーマット全体の内容を説明するラベル情報を含むディスクメタデータファイルとが互いに異なるファイルとして前記フォーマット内に記録されている
ことを特徴とする記録媒体。
【発明の詳細な説明】
【０００１】
【発明の属する技術分野】
本発明は情報処理装置および方法、プログラム、並びに記録媒体に関し、特に、例えば、記録媒体に記録された情報を、より容易に識別すること等ができるようにする情報処理装置および方法、プログラム、並びに記録媒体に関する。
【０００２】
【従来の技術】
従来、撮像や録音等により得られた画像データや音声データ等の素材データは、記録媒体である、ビデオテープ等のテープデバイスに記録されていたが、近年、情報処理技術の向上に伴い、情報のデジタル化が進み、DVD（Digital Versatile Disc）等の光ディスクを記録媒体として利用するようになってきている。
【０００３】
このような記録媒体としての光ディスクにおいて、素材データは、UDF（Universal Disk Format）等のファイルシステムによりファイル化されて管理される。従って、例えば、素材データを再生する再生装置は、ドライブに装着された光ディスクから、その素材データのファイルの、ルートディレクトリからのパス（以下、絶対パスと称する）名およびファイル名を用いて、再生する素材データを検索し、読み出して再生する。
【０００４】
しかしながら、例えば、素材データを編集する編集装置の場合、光ディスクに記録されている素材データが編集装置によって読み出され、編集装置に内蔵されるハードディスク等に記録されたり、ハードディスクに保存してある素材データが、光ディスクに書き込まれたりすることもある。従って、素材データを管理するディレクトリ構造が１種類に限定されない場合もあり、絶対パス名やファイル名を用いて素材データを指定するようにすると、素材データが存在するディレクトリの限定が難しく、素材データの検索方法が複雑になってしまう恐れがあった。
【０００５】
これに対して、素材データをUMID（Unique Material IDentifier）を用いて指定する方法がある。UMIDは、SMPTE（Society of Motion Picture and Television Engineers）による標準規格の識別子であり、AV（Audio Visual）素材等をグローバルユニークに同定するための識別子である。すなわち、UMIDを用いることにより、素材データを、その管理場所（ディレクトリ）に関わらず識別することができるので、素材データが管理されているディレクトリとUMIDとの対応関係を管理すれば、目的の素材データを、そのディレクトリに関わらず指定することができる。
【０００６】
以下に、UMIDについて説明する。
【０００７】
図１は、UMIDのデータ構成例を示す図である。図１に示されるように、６４バイトの拡張UMID（Extended UMID）１０は、３２バイトの基本情報からなる基本UMID（Basic UMID）１１、および、ユーザの署名情報を形成する３２バイトのソースパック１２により構成される。基本UMID１１は、１２バイトのユニバーサルラベル２１、１バイトの長さ値（Ｌ）２２、３バイトのインスタンス番号２３、１６バイトのマテリアル番号２４からなり、ソースパック１２は、８バイトの時刻／日付２５、１２バイトの地理座標２６、４バイトの国２７、４バイトの組織２８、４バイトのユーザ２９からなる。
【０００８】
ユニバーサルラベル２１は、このIDがSMPTEにより定められる、データを世界で唯一のものとして識別できるSMIDであることを示す情報を含んでいる。また、ユニバーサルラベル２１には、UMIDが指定する素材データの種類や、マテリアル番号２４の作成方法を特定する情報も含まれる。長さ値（Ｌ）２２は、UMIDの残りの部分の長さを定義する１バイトの情報であり、その値は、基本UMIDの場合１６進数で１３Ｈと設定され、拡張UMIDの場合１６進数で３３Ｈと設定される。インスタンス番号２３は、マテリアル番号２４が同一となる（同じクリップの）複数の素材データのインスタンスを識別するための情報であり、クリップ内の各インスタンスと外部的に関連するメタデータの間のリンクを提供する情報である。マテリアル番号２４は、各クリップを識別するために使用されるID番号である。クリップ内のインスタンス間においては、マテリアル番号は同一となる。マテリアル番号２４の詳細については、図２を参照して後述する。
【０００９】
ソースパック１２の時刻／日付２５は、ユリウス日で指定される日付情報、および時刻情報、さらにフレームに関する情報等により構成される。地理座標２６は、素材データ生成時の位置情報を、高度、緯度、および経度等のGPS情報等で示す情報である。国２７は、素材データ作成者の国籍に関する情報である。組織２８は、素材データ作成者が所属する組織名に関する情報である。ユーザIDは、英数字で示される、素材データの作成者名である。
【００１０】
マテリアル番号２４の構成例を図２に示す。図２に示されるように、１６バイトのマテリアル番号２４は、８バイトのタイムスナップ３１、２バイトの乱数３２、および６バイトのネットワークノード番号３３により構成される。
【００１１】
タイムスナップ３１は、図３に示されるように、素材データの記録時刻を、１日の中における時間的位置として整数値（すなわち、２４時間を３２ビットで表した場合の値）で示す、４バイト（３２ビット）の時間情報４１と、素材データの記録日を１８５８年１１月１７日からの通算日で示すユリウス日情報４２により構成される。乱数３２は、例えば、素材データを作成した装置において時間情報の設定が正確で無かった場合等に、他のクリップとマテリアル番号が一致してしまうことを防ぐために用いられる情報である。ネットワークノード番号３３は、すべてのNIC(Network Interface Card)に割り当てられている固有の番号であるMACアドレスを用いて示される素材データを記録した装置を識別する情報である。例えば、Ethernet(R)の場合、前半24bitはIEEEが管理する各ベンダー固有のアドレスを示し、後半24bitは各ベンダーが割り当てるNICごとの固有の番号を示している。
【００１２】
マテリアル番号２４の構成は、上述した以外であってもよく、例えば、図４に示されるようなAAF(Advanced Authoring Format)やUUID（Universally Unique Identifier）において用いられるような、タイムスナップ、バージョン情報、UUID識別番号、乱数、およびネットワークノード番号により構成されるマテリアル番号を用いるようにしてもよいし、図５に示されるように、SMPTEのユーザラベルを含むマテリアル番号を用いるようにしてもよい。これらのいずれを用いたかの情報は、ユニバーサルラベル２１に示される。
【００１３】
なお、クリップは、１回の撮像処理や録音処理等の素材データ作成処理を示す単位であり、１回の素材データ作成処理の、処理開始から終了までの時間（例えば、撮像処理の場合、撮像開始から撮像終了までの時間）や、その素材データ作成処理により得られた各種のデータのデータ量も示す。さらに、クリップは、その各種のデータの集合体そのものも示す場合もある。ここでは、１回の素材データ作成処理により得られた各種のデータの集合体を示している。
【００１４】
このようにUMIDは、多くの情報の組み合わせにより構成され、どのような環境においても、このUMIDを用いることにより、素材データをグローバルユニークに識別することができるようになされている。例えば、編集装置は、各素材データのUMIDとその素材データが管理されているディレクトリパス名を対応付けて管理することにより、指定されたUMIDから、そのUMIDに対応する素材データを検索することができる。
【００１５】
【発明が解決しようとする課題】
しかしながら、上述したように素材データが記録されている光ディスクが複数存在する場合、ユーザは、それらの光ディスクの内、どの光ディスクにどの素材データが記録されているかを容易に判別することができないという課題があった。
【００１６】
例えば、ユーザが、再生装置を用いて、複数の光ディスクの中から、目的の素材データを、UMIDを用いて検索し再生させる場合、ユーザは、それらの光ディスクを１枚ずつ再生装置のドライブに装着し、UMIDを用いるなどして目的の素材データを検索し、その素材データが見つからない場合は、ドライブより光ディスクを外し、次の光ディスクを装着する等の作業を、目的の素材データが見つかるまで繰り返し行う必要があり、煩雑な作業を伴う恐れがあった。
【００１７】
本発明はこのような状況に鑑みてなされたものであり、記録媒体に記録された情報を、より容易に識別することができるようにする等の、記録媒体の利便性を向上させることができるようにするものである。
【００１８】
【課題を解決するための手段】
本発明の情報処理装置は、記録媒体に記録されており、記録媒体のフォーマット処理により作成されるディレクトリ構造下において管理されるファイル群であるフォーマットの全体、および、フォーマットに属する各ファイルを管理するファイルであるインデックスファイルに含まれる、フォーマットを識別する識別子を複製する複製手段と、フォーマットのタイトルを含む、フォーマット全体の内容を説明するラベル情報、並びに、複製手段により複製された識別子を含むディスクメタデータファイルを作成する作成手段と、作成手段により作成されたディスクメタデータファイルを、インデックスファイルと異なるファイルとして記録媒体のフォーマット内に記録する記録手段とを備えることを特徴とする。
前記識別子は、識別子の作成時刻を示す時刻情報、並びに、識別子を作成する装置を、ネットワーク上のノードとして識別するためのノード識別子を含むようにすることができる。
前記識別子は、識別子作成時に生成される乱数値をさらに含むようにすることができる。
前記識別子は、他の識別子と区別するための所定の固定値をさらに含むようにすることができる。
【００２２】
前記ラベル情報を設定する設定手段をさらに備え、作成手段は、複製手段により複製さ
れた識別子、および、設定手段により設定されたラベル情報を含むディスクメタデータファイルを作成することができる。
【００２３】
前記ラベル情報は、記録媒体に記録されている画像データの全フレーム画像を代表する画像であり、フォーマット全体の内容を示す代表フレーム画像に関する情報を含み、設定手段は、代表フレーム画像を、記録媒体に記録されている各クリップの代表フレーム画像の中から選択的に設定することができる。
【００２４】
前記ラベル情報は、記録媒体に記録されている画像データの全フレーム画像を代表する画像であり、フォーマット全体の内容を示す代表フレーム画像に関する情報を含み、設定手段は、代表フレーム画像の設定指示が無い場合、最初のクリップの先頭フレーム画像を代表フレーム画像に設定することができる。
前記ディスクメタデータファイルに含まれる識別子と、記録媒体に記録されているインデックスファイルに含まれる識別子とを比較する比較手段をさらに備え、記録手段は、比較手段による比較の結果、ディスクメタデータファイルに含まれる識別子がインデックスファイルに含まれる識別子と一致すると判定された場合のみ、ディスクメタデータファイルを記録媒体のフォーマット内に記録することができる。
前記記録媒体よりディスクメタデータファイルを読み出す読み出し手段と、読み出し手段により読み出されたディスクメタデータファイルに含まれるラベル情報を更新する更新手段とをさらに備え、比較手段は、更新手段によりラベル情報が更新されたディスクメタデータファイルに含まれる識別子と、記録媒体に記録されているインデックスファイルに含まれる識別子とを比較し、記録手段は、比較手段による比較の結果、ディスクメタデータファイルに含まれる識別子がインデックスファイルに含まれる識別子と一致すると判定された場合のみ、ディスクメタデータファイルを記録媒体のフォーマット内に記録することができる。
【００２５】
本発明の情報処理方法は、記録媒体に記録されており、記録媒体のフォーマット処理により作成されるディレクトリ構造下において管理されるファイル群であるフォーマットの全体、および、フォーマットに属する各ファイルを管理するファイルであるインデックスファイルに含まれる、フォーマットを識別するための識別子を複製する複製ステップと、フォーマットのタイトルを含む、フォーマット全体の内容を説明するラベル情報、並びに、複製ステップの処理により複製された識別子を含むディスクメタデータファイルを作成する作成ステップと、作成ステップの処理により作成されたディスクメタデータファイルを、インデックスファイルと異なるファイルとして記録媒体のフォーマット内に記録するように制御する記録制御ステップとを含むことを特徴とする。
【００２６】
本発明のプログラムは、記録媒体に記録されており、記録媒体のフォーマット処理により作成されるディレクトリ構造下において管理されるファイル群であるフォーマットの全体、および、フォーマットに属する各ファイルを管理するファイルであるインデックスファイルに含まれる、フォーマットを識別するための識別子を複製する複製ステップと、フォーマットのタイトルを含む、フォーマット全体の内容を説明するラベル情報、並びに、複製ステップの処理により複製された識別子を含むディスクメタデータファイルを作成する作成ステップと、作成ステップの処理により作成されたディスクメタデータファイルを、インデックスファイルと異なるファイルとして記録媒体のフォーマット内に記録するように制御する記録制御ステップとをコンピュータに実現させることを特徴とする。
【００２７】
本発明の記録媒体は、記録媒体のフォーマット処理により作成されるディレクトリ構造下において管理されるファイル群であるフォーマットを識別する識別子を含み、フォーマットの全体、および、フォーマットに属する各ファイルを管理するファイルであるインデックスファイルと、識別子と同一の識別子を含み、さらにフォーマット全体の内容を説明するラベル情報を含むディスクメタデータファイルとが互いに異なるファイルとしてフォーマット内に記録されていることを特徴とする。
【００２８】
本発明の情報処理装置および方法、プログラム、並びに記録媒体においては、記録媒体に記録されており、記録媒体のフォーマット処理により作成されるディレクトリ構造下において管理されるファイル群であるフォーマットの全体、および、フォーマットに属する各ファイルを管理するファイルであるインデックスファイルに含まれる、フォーマットを識別する識別子が複製され、フォーマットのタイトルを含む、フォーマット全体の内容を説明するラベル情報、並びに、複製された識別子を含むディスクメタデータファイルが作成され、その作成されたディスクメタデータファイルが、インデックスファイルと異なるファイルとして記録媒体のフォーマット内に記録される。
【００２９】
【発明の実施の形態】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００３０】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定したりするものではない。
【００３１】
［請求項１］  記録媒体（例えば、図６のディスク）に記録されるデータを管理する情報処理装置（例えば、図６の編集装置）であって、
前記記録媒体に記録されており、前記記録媒体のフォーマット処理により作成されるディレクトリ構造下において管理されるファイル群であるフォーマットの全体、および、前記フォーマットに属する各ファイルを管理するファイルであるインデックスファイル（例えば、図２２のインデックスファイル）に含まれる、前記フォーマットを識別する識別子（例えば、図９のPROAV ID作成部により作成されるPROAV ID）を複製する複製手段（例えば、図９のPROAV ID複製部）と、
前記フォーマットのタイトルを含む、前記フォーマット全体の内容を説明するラベル情報、並びに、前記複製手段により複製された前記識別子を含むディスクメタデータファイル（例えば、図２２のディスクメタデータファイル）を作成する作成手段（例えば、図９のディスクメタデータファイル作成部）と、
前記作成手段により作成された前記ディスクメタデータファイルを、前記インデックスファイルと異なるファイルとして前記記録媒体の前記フォーマット内に記録する記録手段（例えば、図９のディスクメタデータファイル記録制御部）と
を備えることを特徴とする情報処理装置。
［請求項２］  前記識別子は、前記識別子の作成時刻を示す時刻情報、並びに、前記識別子を作成する装置を、ネットワーク上のノードとして識別するためのノード識別子（例えば、図１４のIEEE１３９４ノードユニークID）を含む
ことを特徴とする請求項１に記載の情報処理装置。
［請求項３］  前記識別子は、前記識別子作成時に生成される乱数値（例えば、図１３の乱数値）をさらに含む
ことを特徴とする請求項２に記載の情報処理装置。
［請求項４］  前記識別子は、他の識別子と区別するための所定の固定値（例えば、図１３の固定値）をさらに含む
ことを特徴とする請求項２に記載の情報処理装置。
［請求項５］  前記ラベル情報を設定する設定手段（例えば、図９の代表画設定部）をさらに備え、
前記作成手段は、前記複製手段により複製された前記識別子、および、前記設定手段により設定された前記ラベル情報を含む前記ディスクメタデータファイルを作成する
ことを特徴とする請求項１に記載の情報処理装置。
［請求項６］ 前記ラベル情報は、前記記録媒体に記録されている画像データの全フレーム画像を代表する画像であり、前記フォーマット全体の内容を示す代表フレーム画像に関する情報（例えば、図４０のディスクの代表画情報）を含み、
前記設定手段は、前記代表フレーム画像を、前記記録媒体に記録されている各クリップの代表フレーム画像の中から選択的に設定する
ことを特徴とする請求項５に記載の情報処理装置。
［請求項７］ 前記ラベル情報は、前記記録媒体に記録されている画像データの全フレーム画像を代表する画像であり、前記フォーマット全体の内容を示す代表フレーム画像に関する情報（例えば、図４０のディスクの代表画情報）を含み、
前記設定手段は、前記代表フレーム画像の設定指示が無い場合、最初のクリップの先頭フレーム画像を前記代表フレーム画像に設定する
ことを特徴とする請求項５に記載の情報処理装置。
［請求項８］ 前記ディスクメタデータファイルに含まれる識別子と、前記記録媒体に記録されている前記インデックスファイルに含まれる識別子とを比較する比較手段（例えば、図９のPROAV ID比較部）をさらに備え、
前記記録手段は、前記比較手段による比較の結果、前記ディスクメタデータファイルに含まれる識別子が前記インデックスファイルに含まれる識別子と一致すると判定された場合のみ、前記ディスクメタデータファイルを前記記録媒体の前記フォーマット内に記録する
ことを特徴とする請求項１に記載の情報処理装置。
［請求項９］  前記記録媒体より前記ディスクメタデータファイルを読み出す読み出し手段（例えば、図８のディスクメタデータファイル読み出し部）と、
前記読み出し手段により読み出された前記ディスクメタデータファイルに含まれる前記ラベル情報を更新する更新手段（例えば、図９のディスクメタデータファイル管理部）と
をさらに備え、
前記比較手段は、前記更新手段により前記ラベル情報が更新された前記ディスクメタデータファイルに含まれる識別子と、前記記録媒体に記録されている前記インデックスファイルに含まれる識別子とを比較し、
前記記録手段は、前記比較手段による比較の結果、前記ディスクメタデータファイルに含まれる識別子が前記インデックスファイルに含まれる識別子と一致すると判定された場合のみ、前記ディスクメタデータファイルを前記記録媒体の前記フォーマット内に記録する
ことを特徴とする請求項８に記載の情報処理装置。
［請求項１０］  記録媒体（例えば、図６のディスク）に記録されるデータを管理する情報処理装置（例えば、図６の編集装置）の情報処理方法であって、
前記記録媒体に記録されており、前記記録媒体のフォーマット処理により作成されるディレクトリ構造下において管理されるファイル群であるフォーマットの全体、および、前記フォーマットに属する各ファイルを管理するファイルであるインデックスファイル（例えば、図２２のインデックスファイル）に含まれる、前記フォーマットを識別するための識別子（例えば、図９のPROAV ID作成部により作成されるPROAV ID）を複製する複製ステップ（例えば、図２０のステップＳ７１）と、
前記フォーマットのタイトルを含む、前記フォーマット全体の内容を説明するラベル情報、並びに、前記複製ステップの処理により複製された前記識別子を含むディスクメタデータファイル（例えば、図２２のディスクメタデータファイル）を作成する作成ステップ（例えば、図２０のステップＳ７６）と、
前記作成ステップの処理により作成された前記ディスクメタデータファイルを、前記インデックスファイルと異なるファイルとして前記記録媒体の前記フォーマット内に記録するように制御する記録制御ステップ（例えば、図２５のステップＳ１００）と
を含むことを特徴とする情報処理方法。
［請求項１１］  記録媒体（例えば、図６のディスク）に記録されるデータを管理する処理をコンピュータ（例えば、図４２のパーソナルコンピュータ）に行わせるプログラムにおいて、
前記記録媒体に記録されており、前記記録媒体のフォーマット処理により作成されるディレクトリ構造下において管理されるファイル群であるフォーマットの全体、および、前記フォーマットに属する各ファイルを管理するファイルであるインデックスファイル（例えば、図２２のインデックスファイル）に含まれる、前記フォーマットを識別するための識別子（例えば、図９のPROAV ID作成部により作成されるPROAV ID）を複製する複製ステップ（例えば、図２０のステップＳ７１）と、
前記フォーマットのタイトルを含む、前記フォーマット全体の内容を説明するラベル情報、並びに、前記複製ステップの処理により複製された前記識別子を含むディスクメタデータファイル（例えば、図２２のディスクメタデータファイル）を作成する作成ステップ（例えば、図２０のステップＳ７６）と、
前記作成ステップの処理により作成された前記ディスクメタデータファイルを、前記インデックスファイルと異なるファイルとして前記記録媒体の前記フォーマット内に記録するように制御する記録制御ステップ（例えば、図２５のステップＳ１００）と
をコンピュータに実行させることを特徴とするプログラム。
［請求項１２］  データを管理する情報処理装置（例えば、図４２のパーソナルコンピュータ）により再生されるデータが記録されている記録媒体（例えば、図６のディスク）において、
前記記録媒体のフォーマット処理により作成されるディレクトリ構造下において管理されるファイル群であるフォーマットを識別する識別子（例えば、図９のPROAV ID作成部１９１により作成されるPROAV ID）を含み、前記フォーマットの全体、および、前記フォーマットに属する各ファイルを管理するファイルであるインデックスファイル（例えば、図２２のインデックスファイル）と、前記識別子と同一の識別子を含み、さらに前記フォーマット全体の内容を説明するラベル情報（例えば、図９の代表画設定部により設定される代表画）を含むディスクメタデータファイル（例えば、図２２のディスクメタデータファイル）とが互いに異なるファイルとして前記フォーマット内に記録されている
ことを特徴とする記録媒体。
【００３２】
以下に、本発明の実施の形態について図面を参照して説明する。
【００３３】
図６は、本発明を適用した編集装置の構成例を示すブロック図である。
【００３４】
図６において、編集装置１００のCPU（Central Processing Unit）１１１は、ROM（Read Only Memory）１１２に記憶されているプログラムに従って各種の処理を実行する。RAM（Random Access Memory）１１３には、CPU１１１が各種の処理を実行する上において必要なデータやプログラムなどが適宜記憶される。
【００３５】
情報保持部１１４は、半導体メモリ等により構成される、情報を一時的に記憶する記憶部であり、後述するディスク１３２より読み出された、ディスク１３２に記録されている素材データに関する情報等を保持し、再生制御部１１５や記録制御部１１６等に制御され、保持している情報を提供したり、新たな情報を取得したりする。
【００３６】
再生制御部１１５は、バス１１７および入出力インタフェース１２０を介してドライブ１２６を制御し、ドライブ１２６に装着されたディスク１３２からの各種の情報の読み出しを制御する処理を行う。例えば、再生制御部１１５は、ディスク１３２に記録されているデータに関する情報を読み出し、情報保持部１１４に供給させるような制御処理を実行する。記録制御部１１６は、バス１１７および入出力インタフェース１２０を介してドライブ１２６を制御し、ドライブ１２６に装着されたディスク１３２への各種の情報の書き込みを制御する処理を行う。例えば、記録制御部１１６は、情報保持部１１４に保持されているデータをディスク１３２に記録させるような制御処理を実行する。
【００３７】
CPU１１１、ROM１１２、RAM１１３、情報保持部１１４、再生制御部１１５、および記録制御部１１６は、バス１１７を介して相互に接続されている。このバス１７にはまた、計時部１１８も接続されている。計時部１１８は、例えば、内蔵する水晶振動子等により構成されるリアルタイムクロックの出力に基づいて現在時刻を算出し、バス１１７に接続されたCPU１１１、再生制御部１１５、および記録制御部１１６等の要求に基づいて、その現在時刻の情報をその要求元に供給する。
【００３８】
バス１１７には、さらに、入出力インタフェース１２０が接続されている。入出力インタフェース１２０は、キーボードやマウスから構成される入力部１２１が接続され、入力部１２１に入力された信号をCPU１１１に出力する。また、入出力インタフェース１２０には、ディスプレイやスピーカなどから構成される出力部１２２も接続されている。
【００３９】
さらに、入出力インタフェース１２０には、ハードディスク等の磁気ドライブやEEPROM（Electronically Erasable and Programmable Read Only Memory）などから構成される記憶部１２３、および、IEEE（Institute of Electrical and Electronic Engineers）１３９４ネットワークなどを介して他の装置とデータの通信を行う通信部１２４も接続されている。ドライブ１２５には、磁気ディスク、光ディスク、光磁気ディスク、または半導体メモリなどの記録媒体からなるリムーバブルメディア１３１より読み出された、プログラム、またはプログラムの実行に必要なデータ等が記録される。
【００４０】
ドライブ１２６は、ドライブ１２６に装着されたディスク１３２より画像データや音声データ等の素材データを読み出したり、ドライブ１２６に装着されたディスク１３２に素材データを記録したりする。
【００４１】
ディスク１３２は、例えば、開口数（NA）０．８５、波長４０５nmの青紫色レーザを用いて、最小マーク長０．１４μｍ、トラックピッチ０．３２μｍの記録密度で大容量（例えば２７ギガバイト）のデータを記録可能な光ディスクである。なお、ディスク１３２は、それ以外の記録媒体であってもよく、例えば、DVD-RAM（Digital Versatile Disc - Random Access Memory），DVD-R（DVD - Recordable），DVD-RW（DVD - ReWritable），DVD+R（DVD + Recordable），DVD＋RW（DVD + ReWritable），CD-R（Compact Disc - Recordable），またはCD-RW（CD - ReWritable）等の各種の光ディスクであってもよい。
【００４２】
図７は、図６の情報保持部１１４の詳細な構成例を示すブロック図である。図７において、情報保持部１１４は、ディスク１３２に記録されている情報を一元管理するインデックスファイルを保持するインデックスファイル保持部１５１、および、ディスク１３２の内容を説明する情報であるラベル情報を含むディスクメタデータファイルを保持するディスクメタデータファイル保持部１５２を有している。なお、情報保持部１４は、上述したインデックスファイルやディスクメタデータファイル以外にも、例えば、ディスク１３２に記録する各種のデータや、ディスク１３２より読み出された素材データ等を保持する。
【００４３】
図８は、図６の再生制御部１１５の詳細な構成例を示すブロック図である。図８において、再生制御部１１５は、ドライブ１２６に装着されたディスク１３２より、インデックスファイルを読み出し、図７のインデックスファイル保持部１５１に保持させる処理を実行するインデックスファイル読み出し部１６１、ドライブ１２６に装着されたディスク１３２より、ディスクメタデータファイルを読み出し、図７のディスクメタデータファイル保持部１５２に保持させる処理を実行するディスクメタデータファイル読み出し部１６２を有している。なお、再生制御部１１５は、インデックスファイルやディスクメタデータファイル以外にも、例えば、画像データや音声データ等の素材データやその他のメタデータ等のファイルをディスク１３２から読み出して再生する。
【００４４】
図９は、図６の記録制御部１１６の詳細な構成例を示すブロック図である。図９において、記録制御部１１６は、インデックスファイルを作成する処理を行うインデックスファイル作成部１７１、インデックスファイル保持部１５１に保持されているインデックスファイルを管理するインデックスファイル管理部１７２、インデックスファイル保持部１５１に保持されているインデックスファイルをドライブ１２６に装着されたディスク１３２に記録するインデックスファイル記録制御部１７３、UMIDを作成するUMID作成部１７４、ディスクメタデータファイルを作成する処理を行うディスクメタデータファイル作成部１８１、ディスクメタデータファイル保持部１５２に保持されているディスクメタデータファイルを管理するディスクメタデータファイル管理部１８２、ディスクメタデータファイル保持部１５２に保持されているディスクメタデータファイルをドライブ１２６に装着されたディスク１３２に記録するディスクメタデータファイル記録制御部１８３、ディスク１３２を識別するID（PROAV ID）を作成するPROAV ID作成部１９１、インデックスファイルに含まれるPROAV IDを複製するPROAV ID複製部１９２、インデックスファイルに含まれるPROAV IDおよびディスクメタデータファイルに含まれるPROAV IDを比較するPROAV ID比較部１９３、並びに、ディスク１３２に記録されている素材データの全フレーム画像を代表するフレーム画像（代表画）を設定する代表画設定部１９４を有している。
【００４５】
記録制御部１１６は、ドライブ１２６を制御し、ドライブ１２６に装着されたディスク１３２に、画像データや音声データ等の素材データを記録する処理を実行するとともに、インデックスファイル作成部１７１においてインデックスファイルを作成したり、インデックスファイル管理部１７２においてインデックスファイル保持部１５１に保持されているインデックスファイルを管理したり、インデックスファイル記録制御部１７３において、インデックスファイル保持部１５１に保持されているインデックスファイルを、ドライブ１２６を介してディスク１３２に記録する処理を実行したりする。
【００４６】
また、記録制御部１１６のUMID作成部１７４は、クリップやエディットリストが作成される際に、それらのクリップやエディットリストに対応するUMIDを作成する。
【００４７】
さらに、記録制御部１１６は、ディスクメタデータファイル作成部１８１において、ディスクメタデータファイルを作成したり、ディスクメタデータファイル管理部１８２においてディスクメタデータファイル保持部１５２に保持されているディスクメタデータファイルを管理したり、ディスクメタデータファイル保持部１５２に保持されているディスクメタデータファイルを、ドライブ１２６を介してディスク１３２に記録する処理を実行したりする。
【００４８】
また、記録制御部１１６のPROAV ID作成部１９１は、インデックスファイル作成部１７１によりインデックスファイルが作成される際に、インデックスファイルに含まれる情報であり、ディスク１３２に記録されるデータ全体に対するIDであるPROAV IDを作成する。
【００４９】
ディスク１３２には、後述するように、１つのPROAVディレクトリが作成され、そのPROAVディレクトリの下に、各種のファイルが配置されて管理される。このように、１回のフォーマット処理により作成されるディレクトリ構造下において管理されるファイル群（以下、フォーマットと称する）を識別するIDとしてPROAV IDが用いられる。通常、後述するフォーマット処理はディスク１３２の記憶領域全体に対して行われ、ディスク１３２には、このフォーマット（後述するPROAVディレクトリ以下のディレクトリ構造）は１つしか存在しない。しかしながら、編集装置１００は、後述するように、フォーマット処理を行うことにより、ディスク１３２に存在するフォーマットを削除し、新たなフォーマットをディスク１３２に作成することができる。PROAV IDは、このディスク１３２に作成されるフォーマットを識別するためのIDであり、ハードウェアとしてのディスク１３２に対するIDではない。従って、上述したように、フォーマット処理が行われて新たなフォーマットが作成された場合、そのフォーマットに対して新たなPROAV IDが作成され、割り当てられる。すなわち、１枚のディスク１３２であっても、PROAV IDは定まらない。
【００５０】
PROAV ID作成部１９１は、このようなフォーマットに対するIDであるPROAV IDを作成する。なお、このPROAV IDは、インデックスファイルに記録され、例えば、クリップやエディットリストの検索時等に用いられる。また、このPROAV IDは、後述するように、ディスクメタデータファイルにも記録され、ディスクメタデータファイルの更新時に、そのディスクメタデータファイルがディスク１３２に記録されているデータに対応しているか否かを判定するのに用いられる。
【００５１】
PROAV ID複製部１９２は、ディスクメタデータファイル作成部１８１によりディスクメタデータファイルが作成される際に、PROAV IDを、インデックスファイルのPROAV IDより複製して作成する。PROAV ID比較部１９３は、ディスクメタデータファイル記録制御部１８３によりディスクメタデータファイルが記録される際に、その記録するディスクメタデータファイルのPROAV IDと、ディスク３２に記録されているインデックスファイルのPROAV IDを比較する。
【００５２】
代表画設定部１９４は、ユーザ等の指示に基づいて、ディスク１３２に記録されている素材データ（画像データ）の代表画を設定する。
【００５３】
図７乃至図９を参照して説明した各部の機能の関係を、図１０の機能ブロック図を参照して説明する。
【００５４】
インデックスファイルに関する処理を行うインデックス処理部２０１は、インデックスファイル保持部１５１、インデックスファイル読み出し部１６１、インデックスファイル作成部１７１、インデックスファイル管理部１７２、インデックスファイル記録制御部１７３、並びにPROAV ID作成部１９１により構成される。
【００５５】
例えばディスクフォーマット処理２１１が実行され、ディスク１３２のフォーマット処理が開始されると、PROAV ID作成部１９１は、PROAV IDを作成し、インデックスファイル作成部１７１は、そのPROAV IDを用いて、ディスク１３２に記録されるファイルの管理情報であるインデックスファイルを作成する。作成されたインデックスファイルは、インデックスファイル保持部１５１を介して、インデックスファイル記録制御部１７３に供給され、ドライブ１２６に装着されたディスク１３２に記録される。
【００５６】
画像データや音声データ等が記録されたディスク１３２がドライブ１２６に装着されると、インデックスファイル読み出し部１６１は、ディスク１３２よりインデックスファイルを読み出し、インデックスファイル保持部１５１に保持させる。
【００５７】
また、クリップ・エディットリスト更新処理２１３が実行され、画像データや音声データ等からなるクリップ、またはクリップの編集情報であるエディットリストが作成され、ディスク１３２に記録される場合、UMID作成部１７４は、その作成されたクリップまたはエディットリストに対応するUMIDを作成し、インデックスファイル管理部１７２は、インデックスファイル保持部１５１に保持されているインデックスファイルに対し、記録するクリップまたはエディットリストの情報を追加して更新する。
【００５８】
インデックスファイル記録制御部１７３は、以上のようにインデックスファイルが更新された場合、そのインデックスファイルをインデックスファイル保持部１５１より読み出し、ディスク１３２に記録する。
【００５９】
ディスクメタデータに関する処理を行うディスクメタデータ処理部２０２は、ディスクメタデータファイル保持部１５２、ディスクメタデータファイル読み出し部１６２、ディスクメタデータファイル作成部１８１、ディスクメタデータファイル管理部１８２、ディスクメタデータファイル記録制御部１８３、PROAV ID複製部１９２、PROAV ID比較部１９３、および代表画設定部１９４により構成される。
【００６０】
例えばディスクフォーマット処理２１１が実行され、ディスク１３２のフォーマット処理が開始されると、ディスクメタデータファイル作成部１８１は、PROAV ID複製部１９２や代表画設定部１９４を用いて、各種のラベル情報を作成し、ディスクメタデータファイルを作成し、ディスクメタデータファイル保持部１５２に保持させる。
【００６１】
すなわち、PROAV ID複製部１９２は、インデックスファイル保持部１５１に保持されているインデックスファイルのPROAV IDを複製し、ディスクメタデータファイルに記録するPROAV IDとして設定する。また、代表画設定部１９４は、ディスク１３２に記録されている素材データの、最初のクリップの最初のフレーム画像をディスク１３２の代表画に設定する。ディスクメタデータファイル作成部１８１は、これらの設定情報を含む各種のラベル情報を用いてディスクメタデータファイルを作成し、ディスクメタデータファイル保持部１５２に保持させる。
【００６２】
ディスクメタデータファイル記録制御部１８３は、そのディスクメタデータファイル保持部１５２に保持されているディスクメタデータファイルを、ドライブ１２６に装着されたディスク１３２に記録する。
【００６３】
また、ディスクメタデータ更新処理２１２が実行されると、ディスクメタデータファイル読み出し部１６２は、ドライブ１２６に装着されたディスク１３２よりディスクメタデータファイルを読み出し、ディスクメタデータファイル保持部１５２に供給し、保持させる。ディスクメタデータファイル管理部１８２は、代表画設定部１９４を用いる等して、ディスクメタデータファイル保持部１５２に保持されているディスクメタデータファイルを更新する。ディスクメタデータファイル記録制御部１８３は、PROAV ID比較部１９３を用いて、その更新されたディスクメタデータファイルのPROAV IDを、ディスク１３２に記録されているインデックスファイルのPROAV IDと比較し、一致する場合、記録するディスクメタデータファイルの内容が、ディスク１３２に記録されているデータに対応した情報であると判定し、そのディスクメタデータファイルをディスク１３２に記録する。
【００６４】
以上のように、各操作指示に対応して、それぞれの指示に対応する各部が連携して処理を行うことにより、指示された操作が行われる。
【００６５】
このように、ディスク１３２に記録されている内容のラベルとなるラベル情報をディスクメタデータファイルとしてディスク１３２に記録することにより、ディスク１３２に記録されたデータを利用する編集装置１００（再生装置、記録装置、管理装置、情報処理装置および記録再生装置等を含む）のユーザは、そのディスク１３２に記録されているラベル情報を参照することにより、ディスク１３２に記録されている情報を、より容易に識別することができる。
【００６６】
また、ディスク１３２よりディスクメタデータファイルを読み出して更新し、ディスク１３２に記録する際に、そのディスクメタデータファイルに含まれるPROAV IDと、インデックスファイルのPROAV IDとを比較し、記録するディスクメタデータファイルが、ディスク１３２に記録されている素材データに対応しているか否かを確認してから、ディスクメタデータを記録するようにすることにより、編集装置１００は、より正確にラベル情報をディスク１３２に記録することができる。従って、編集装置１００は、ディスク１３２に記録されている素材データを利用するユーザに、より正確なラベル情報を提供することができる。
【００６７】
次に、上述した各処理の具体的な流れについて説明する。
【００６８】
例えば、ユーザにより入力部１２１が操作される等して、ドライブ１２６に装着されたディスク１３２のフォーマット処理の実行が指示されると、図６の編集装置１００の各部はディスクフォーマット処理を開始する。
【００６９】
ディスクフォーマット処理を、図１１のフローチャートを参照して説明する。
【００７０】
最初にステップＳ１１において、記録制御部１１６は、ドライブ１２６に装着されたディスク１３２に対して、UDF（Universal Disk Format）フォーマット処理を実行し、UDFによる論理フォーマット処理を行う。次に、記録制御部１１６は、ステップＳ１２に処理を進め、ディスク１３２内にUDFに基づいて、ルートディレクトリの下にPROAVディレクトリを作成してディスク１３２に記録し、ステップＳ１３において、画像データや音声データ等の素材データ、およびその素材データに関する情報等のファイルを収めるクリップルートディレクトリを、PROAVディレクトリの下に作成してディスク１３２に記録し、ステップＳ１４において、クリップルートディレクトリの下に格納される素材データ等のファイル群であるクリップを非破壊編集した編集結果（編集情報）を収めるエディットリストルートディレクトリをPROAVディレクトリの下に作成してディスク１３２に記録する。
【００７１】
ステップＳ１５において、記録制御部１１６のインデックスファイル作成部１７１は、インデックスファイル作成処理を実行し、XML（eXtensible Markup Language）を用いて、インデックスファイルを作成する。インデックスファイル作成処理を実行したインデックスファイル作成部１７１は、ステップＳ１６に処理を進める。インデックスファイル作成処理の詳細については、図１２のフローチャートを参照して後述する。
【００７２】
ステップＳ１６において、ディスクメタデータファイル作成部１８１は、ディスクメタデータファイル作成処理を実行し、ディスクメタデータファイルを作成し、ディスクフォーマット処理を終了する。インデックスファイル作成処理の詳細については、図２０のフローチャートを参照して後述する。
【００７３】
以上のように、編集装置１の各部は、ディスクフォーマット時に、各ファイルの情報を管理するインデックスファイル、並びに、ディスク１３２のラベル情報からなるディスクメタデータファイルを作成する。
【００７４】
次に、上述した図１１のステップＳ１５において実行されるインデックスファイル作成処理の詳細について、図１２のフローチャートを参照して説明する。
【００７５】
最初に、インデックスファイル作成部１７１は、ステップＳ３１において、PROAV ID作成部１９１を制御して、インデックスファイルに含まれるPROAV IDを作成する、PROAV ID作成処理を実行する。PROAV ID作成処理の詳細については、図１３のフローチャートを参照して後述する。
【００７６】
PROAV IDを作成したインデックスファイル作成部１７１は、ステップＳ３２において、例えば、クリップテーブルやエディットテーブルなど、PROAV ID以外のその他の情報を作成し、インデックスファイル保持部１５１に供給して保持させる。ステップＳ３２の処理が終了すると、インデックスファイル作成部１７１は、インデックスファイル作成処理を終了し、図１１のステップＳ１６に処理を戻す。
【００７７】
次に、図１２のステップＳ３１において実行されるPROAV ID作成処理の詳細について、図１３のフローチャートを参照して説明する。
【００７８】
最初に、ステップＳ５１において、記録制御部１１６のPROAV ID作成部１９１は、バス１１７を介して計時部１１８に現在の時刻情報を要求して取得し、７バイトのタイムスナップを生成する。すなわち、PROAV ID作成部１９１は、２４時間を３バイトで表し（２４時間を１６，７７７，２１６等分し）、計時部１１８より取得した現在の時刻情報をその３バイト表現に変換し（直前の午前０時０分０秒００を値「０」とし、その時刻から現在の時刻までの経過時間を、２４時間を１６，７７７，２１６等分した時間で除算し）、４バイトで表現されたユリウス日による日付情報に付加してタイムスナップを生成する。
【００７９】
次に、ステップＳ５２において、記録制御部１１６のPROAV ID作成部１９１は、バス１１７および入出力インタフェース１２０を介して通信部１２４にIEEE１３９４ネットワークのノードユニークIDを要求し、取得する。通信部１２４は、高速シリアルインタフェースであるIEEE１３９４により他の装置とネットワークを形成し、他の装置と通信を行うことができる。このネットワークのノードとなる、IEEE１３９４の通信機能を有するハードウェアである通信部１２４は、予め、８バイトのIEEE１３９４ネットワーク用のノードユニークIDが割り当てられている。PROAV ID作成部１９１は、このノードユニークIDを通信部１２４に要求し、取得する。
【００８０】
ノードユニークIDを取得したPROAV ID作成部１９１は、ステップＳ５３に処理を進め、タイムスナップを用いて６ビットの乱数値を決定する。そして、PROAV ID作成部１９１は、ステップＳ５１乃至５３の処理により得られた、タイムスナップ、ノードユニークID、および乱数値に、２ビットの予め定められた所定の値である固定値を加え、これらを組み合わせてPROAV IDを作成する。
【００８１】
図１４は、PROAV IDの構成例を示す模式図である。図１４において、PROAV ID２２０は、８ビット（１バイト）毎に区切られたビット列として示されており、「X」で示されるビットは値が「０」または「１」のビットを示している。なお、右から４バイト目乃至６バイト目は、その値が１６進数で示されている。
【００８２】
図１４において、PROAV ID２２０は、左から、７ビットのタイムスナップ２２１、２ビットの固定値２２１、６ビットの乱数値２２３、および、６４ビット（８バイト）のIEEE１３９４ノードユニークIDにより構成されている。
【００８３】
タイムスナップ２２１は、左から３バイト（２４ビット）が時間情報であり、残り４バイト（３２ビット）がユリウス日による日付情報（ユリウス日情報）である。すなわち、このタイムスナップ２２１は、図３に示されるタイムスナップ３１の、時間情報４１の最下位の８ビットを省略したものである。
【００８４】
固定値２２１は、予め決められた値「１１」の２ビットにより構成される。この値は、例えば、AAF、UUID、またはUMID等のマテリアル番号のような他のIDとの区別をするための値である。乱数値２２３は、タイムスナップを用いて求められる６ビットの値により構成される。この乱数値は、例えば、装置の時刻設定が誤っていた場合等に、作成時刻が同じID（同一のID）が複数生成され、それぞれが異なるフォーマットに割り当てられてしまうのを回避するために用いられる。
【００８５】
IEEE１３９４ノードユニークID２２４は、IEEE１３９４ネットワークにおいてノードとなるIEEE１３９４インタフェース（ハードウェア）に予め割り当てられる固有の６４ビットの識別子である。図６に示される編集装置１００の場合、通信部１２４に含まれるIEEE１３９４インタフェースに割り当てられている。IEEE１３９４ノードユニークIDの上位２４ビットは、インタフェースの製造会社または販売会社（メーカまたはベンダ）固有のアドレスであり、図１４のIEEE１３９４ノードユニークID２２４においては、PROAV ID２２０の構成を、図２に示されるUMIDにおけるマテリアル番号２４と同様の構成にするために、下位２バイト（１６ビット）の位置が、IEEE１３９４ノードユニークID２２４の左端から２バイト（PROAV ID２２０全体において、左から９バイト目および１０バイト目）となるように調整されている。従って、図１４のIEEE１３９４ノードユニークID２２４においては、右から４バイト目乃至６バイト目（図中、１６進数の値「０８」、「００」、および「４６」で示される２４ビット）がIEEE１３９４ノードユニークIDの上位２４ビットとなっている。
【００８６】
図１５にSMPTEのUMIDにおけるマテリアル番号の詳細な構成例を示す。図１５において、マテリアル番号２３０は、タイムスナップ２３１、２バイトの乱数値２３３、およびネットワークノード番号２３４により構成される。タイムスナップ２３１の右端１バイトは、左から値「１０」の２ビットの設定値と、６ビットのタイムゾーンコード（TZコード）２３２により構成される。
【００８７】
２ビットの設定値の内、左側の１ビット（値が「１」のビット）は、このタイムスナップ２３１における日付情報がユリウス日による日付情報であることを示している。また、SMPTEによるUMIDのマテリアル番号の場合、右側の１ビットの値は「０」となる。タイムゾーンコード（TZコード）２３２は、そのタイムスナップを決定する地域を示すコードであり、その地域の標準時間に合わせてタイムスナップは作成される。
【００８８】
ネットワークノード番号２３４は、Ethernet(R)におけるMACアドレスであり、上位２４ビット（図１５において、１６進数の値「０８」、「００」、および「４６」で示される２４ビット）は、NICの製造会社または販売会社（メーカまたはベンダ）固有の番号である。
【００８９】
以上のように、図１４に示されるPROAV ID２２０におけるIEEE１３９４ノードユニークIDの上位２４ビットの位置と、図１５に示されるマテリアル番号２３０におけるネットワークノード番号２３４の上位２４ビットは、いずれもインタフェースのメーカまたはベンダを示す値であり、同じ位置に配置されている。従って、編集装置１００は、UMIDのマテリアル番号の場合と同様に、PROAV ID２２０を処理することができ、これらの一部分（すなわち、PROAV ID２２０におけるIEEE１３９４ノードユニークIDの上位２４ビットの部分）のみを参照し、その値がメーカ（ベンダ）固有の番号であるか否かによって他のIDと識別することができるだけでなく、その値（すなわち、メーカ（ベンダ）名）によってPROAV ID２２０を大別することができる。これにより、例えば、クリップ検索処理やディスクメタデータファイルの認証処理等において、それらの処理の負荷を軽減させることができる。
【００９０】
また、PROAV ID２２０とマテリアル番号２３０は、上述したように、メーカ（ベンダ）固有の番号が同じ位置に配置されているが、図１４に示されるPROAV ID２２０における固定値２２２の値は、「１１」である。これに対して、固定値２２２と同じ位置にある、図１５に示されるマテリアル番号２３０における設定値の値は「１０」である。従って、編集装置１００は、PROAV ID２２０を、マテリアル番号２３０等の、同じ位置にメーカ（ベンダ）固有の番号が配置されているIDと容易に識別することができる。これにより、例えば、クリップ検索処理やディスクメタデータファイルの認証処理等において、それらの処理の負荷を軽減させることができる。
【００９１】
以上のようなPROAV IDを作成したPROAV ID作成部１９１は、PROAV ID作成処理を終了し、図１２のステップＳ３２に処理を戻す。
【００９２】
次に、以上のようにして作成されたインデックスファイルについて説明する。
【００９３】
図１６乃至図１９に、インデックスファイルの具体的な記述例を示す。なお、図１６乃至図１９において、各行頭の数字は、説明の便宜上付加したものであり、XML記述の一部ではない。
【００９４】
上述したようにインデックスファイルは、ディスク１３２内に記録されたファイルの情報を一元管理するファイルであり、具体的には、図１１のステップＳ１２において作成されたProAVディレクトリ以下のファイル（フォーマット全体）の情報を管理している。これらのファイルの情報は、図１６の２行目の開始タグから、図１９の１６行目の終了タグまでの間に記述されおり、大別して、フォーマット全体に関する情報、クリップに関する情報、エディットリストに関する情報に分けて記述されている。
【００９５】
フォーマット全体に関する情報は、図１６の１行目乃至３行目に記述されている。図１６の１行目には、この記述がXMLのバージョン「１．０」に基づく記述であることと、文字エンコード方法が「UTF-8」であることが示されている。また、２行目および３行目には、インデックスファイルの記述の開始を示す開始タグが示されており、２行目において使用される名前空間識別子が記述されている。
【００９６】
図１６の３行目の記述「ProAV Id="0123456789ABCDEF0123456789ABCDEF"」は、このフォーマット（PROAVディレクトリ以下）に割り当てられたIDであるPROAV IDの値が「0123456789ABCDEF0123456789ABCDEF」であることを示している。ここでは、各桁は１６進数で示されており、１６バイトのPROAV IDが、３２文字で示されている。PROAV IDは、このように、インデックスファイルに記述される。
【００９７】
後述するように、クリップルートディレクトリの下に格納されるクリップについては、図１６の４行目の開始タグから、図１８の２４行目の終了タグまでの間にクリップテーブルとして記述されている。図１６乃至図１８に示されるように、この場合、クリップルートディレクトリの下には４つのクリップが格納されており、第１のクリップについては、図１６の６行目から図１６の２３行目までに記述されており、第２のクリップについては、図１６の２５行目から図１７の１３行目までの間に記述されており、第３のクリップについては、図１７の１５行目から図１８の３行目までの間に記述されており、第４のクリップについては、図１８の５行目から図１８の２３行目までの間に記述されている。
【００９８】
例えば、図１６の６行目の「<clip」乃至７行目の「>」の開始タグから、図１６の２３行目の終了タグ「</clip>」までの間に第１のクリップに関する情報が示されており、図１６の６行目および７行目の開始タグの中には、第１のクリップについての情報等が、各属性として示されている。
【００９９】
すなわち、「id="C0001"」で示されるid属性は、各クリップをディスク１３２内において識別するための識別子である、ディスク内IDを示す記述であり、ここでは、第１のクリップに、ディスク内ID「C0001」が割り当てられていることが示されている。なお、この例の場合、ディスク内IDとして、クリップディレクトリ名と同一のIDが割り当てられている。
【０１００】
「umid="0D12130000000000001044444484EEEE00E0188E130B"」で示されるumid属性は、各クリップをグローバルユニークに識別するためのクリップ固有の識別子である、UMIDを示す記述であり、第３のクリップに、３２バイトで構成される基本UMIDの一部である「0D12130000000000001044444484EEEE00E0188E130B」が割り当てられていることが示されている。ここでは、３２バイトの基本UMIDの内、１２バイトで構成されるユニバーサルラベルの中の１０バイトを省略した２２バイトが示されている。なお、各桁は１６進数で示されており、２２バイトのUMIDが４４文字で示されている。なお、もちろんUMIDに６４バイトの拡張UMIDを用いるようにしてもよい。
【０１０１】
また、７行目の「file="C0001C01.SMI"」で示されるfile属性は、クリップを管理する管理情報であるクリップインフォメーションファイルのファイル名を示す記述である。図１６の場合、第１のクリップの、クリップインフォメーションファイルのファイル名が「C0001C01.SMI」であることが示されている。７行目「fps="59.94i"」で示されるfps属性は、画像データの時間軸方向の解像度（すなわち、画像データのフレーム周波数）を示す記述である。単位は「field/sec」であり、付加情報として、インターレススキャン信号であるか、プログレッシブスキャン信号であるかを区別する情報も含まれる。図１６の場合、この第１のクリップの画像データが、フィールド周波数59.94Hzのインターレス信号（例えば、NTSC（National Television Standards Committee）カラー信号）であることが示されている。
【０１０２】
７行目の「dur="100000"」で示されるdur属性は、クリップの画像データの有効な時間方向の長さを示す記述である。また、単位はフレーム数である。なお、画像データは、常に全フレームが再生や編集の対象となるわけではなく、例えばIN点やOUT点等のマークによって、一部のフレームが処理の対象から外され、その他の一部のフレームが再生や編集の対象として有効化される場合がある。そのような、データとして削除はされないが処理の対象とならない区間の長さはここでは含まれておらず、画像データの全フレームの内、有効な区間の長さのみが示されている。図１６の場合、第１のクリップの画像データの有効な区間の長さが、100000フレームであることが示されている。
【０１０３】
また、７行目「ch="4"」で示されるch属性は、クリップに含まれる音声データのチャンネル数を示す記述である。すなわち、図１６の場合、第１のクリップが、４チャンネルの音声データを含むことが示されている。
【０１０４】
さらに７行目「aspectRatio="4:3"」で示されるaspectRatio属性は、クリップに含まれる画像データの再生画像の、横の長さと縦の長さの比であるアスペクト比を示す記述である。図１６の場合、第１のクリップに含まれる画像データの再生画像のアスペクト比が４対３であることが示されている。
【０１０５】
以上のような第１のクリップ全体に対する情報に続いて、図１６の８行目および９行目には、第１のクリップの画像データに関する情報が記述されており、図１６の１０行目乃至１７行目には、４チャンネルの音声データに関する情報が、チャンネルごとに記述されている。
【０１０６】
また、図１６の１８行目および１９行目には、上述した画像データや音声データに対応する低解像度の、画像データや音声データからなる素材データであるサブストリームに関する情報が記述されており、図１６の２０行目および２１行目には、クリップに付加されるメタデータであるクリップメタデータに関する情報が記述されており、図１６の２２行目には、このクリップの画像データに、フレーム単位で付加されるフレームメタデータに関する情報が記述されている。
【０１０７】
また、第２のクリップ乃至第４のクリップについても、上述した第１のクリップの場合と同様に、各クリップに関する情報、および各クリップを構成するファイルに関する情報が記述されている。
【０１０８】
このように、インデックスファイルには、ディスク１３２に記録されているクリップに関する情報、および各クリップを構成するファイルに関する情報が、クリップテーブルとしてテーブル化されて記録されている。
【０１０９】
また、エディットリストルートディレクトリの下に格納されるエディットリストについては、図１８の２５行目の開始タグから、図１９の１５行目の終了タグまでの間にエディットリストテーブルとして記述されている。図１６乃至図１９に示されるように、この場合、エディットリストルートディレクトリの下には４つのエディットリストが格納されており、第１のエディットリストについては、図１８の２６行目から図１９の１行目までに記述されており、第２のエディットリストについては、図１９の２行目から図１９の５行目までの間に記述されており、第３のエディットリストについては、図１９の６行目から図１９の９行目までの間に記述されており、第４のエディットリストについては、図１９の１０行目から図１９の１４行目までの間に記述されている。
【０１１０】
このように、インデックスファイルには、ディスク１３２に記録されているエディットリストに関する情報が、エディットリストテーブルとしてテーブル化されて記録されている。
【０１１１】
図１１のステップＳ１５の処理を行うことにより、図１６乃至図１９に示されるような、XMLで記述されたインデックスファイルが生成され、ディスク１３２に記録される。なお、図１１のステップＳ１５の処理を行った時点では、クリップやエディットリストは、ディスク１３２に記録されていないので、図１６乃至図１９に示されるようなクリップやエディットリストの情報は存在しない。図６の編集装置１００は、クリップやエディットリストをディスク１３２に記録した後、インデックスファイルをディスク１３２より読み込むことにより、ディスク１３２に記録されているクリップやエディットリストに関する情報を取得することができる。
【０１１２】
以上のように、インデックスファイルに、PROAV IDを記述しておくことにより、このディスク１３２が装着される編集装置１００は、素材データのディスク毎（フォーマット毎）の管理を行うことができるようになる。これにより、編集装置１００は、複数のディスクの中から、クリップを検索する場合であっても、容易に目的のクリップを識別することができる。また、ラベル情報等を含むディスクメタデータファイルの更新時に、編集装置１００は、ディスクメタデータファイルに対応するディスクを容易に確認することができ、より正確なラベル情報をユーザに提供することができる。
【０１１３】
なお、図１６乃至図１９においては、各ファイルに割り当てられたUMIDの値が全て同一に示されているが、実際には、それぞれ、互いに異なる値のUMIDが割り当てられる。さらに言及すると、図１６乃至図１９において、各データを示すUMIDの例が、例えば、図１６の６行目、８行目、１０行目、１２行目、１４行目、１６行目、１８行目、２５行目、２７行目、２９行目、図１７の２行目、４行目、６行目、８行目、１５行目、１８行目、２０行目、２２行目、２４行目、２６行目、２８行目、図１８の５行目、８行目、１０行目、１２行目、１４行目、１６行目、１８行目、２６行目、図１９の２行目、６行目、および１０行目に記述してあるが、これらは、UMIDの記述位置等を示すだけのものであり、それらの値が意味を持たない仮想のUMIDである。実際には、SMPTEの定める方法に基づいて作成された正当なUMIDが上述した仮想UMIDの代わりに各位置に記述される。
【０１１４】
同様に、図１６の３行目において、PROAV IDの記述例が示されているが、これは、PROAV IDの記述位置等を示すだけのものであり、その値が意味を持たない仮想のPROAV IDである。実際には、上述した方法に基づいて作成された正当なPROAV IDが上述した仮想PROAV IDの代わりに記述される。
【０１１５】
次に、図１１のステップＳ１６において実行されるディスクメタデータファイル作成処理の詳細について、図２０のフローチャートを参照して説明する。
【０１１６】
最初に、ステップＳ７１において、PROAV ID複製部１９２は、ディスクメタデータファイル作成部１８１に制御されて、インデックスファイル保持部１５１に保持されているインデックスファイルのPROAV ID（図１６の３行目に記述されたPROAV ID）を複製（コピー）し、ステップＳ７２に処理を進める。
【０１１７】
ステップＳ７２において、ディスクメタデータファイル作成部１８１は、例えば、ユーザにより入力部１２１を操作されて入力され、情報保持部１１４等に保持されている、タイトル等のラベル情報を取得し、ステップＳ７３に処理を進める。
【０１１８】
代表画設定部１９４は、ステップＳ７３において、ディスクメタデータファイル作成部１８１に制御されて、ディスク１３２に記録されているクリップの代表画が例えばユーザ等により指定されているか否かを判定する。例えば、情報保持部１１４にユーザによる代表画の指定情報が存在し、ディスクの代表画が指定されていると判定した場合、代表画設定部１９４は、ステップＳ７４に処理を進め、その指定情報に基づいて、指定されたフレームをディスクの代表画に設定する。代表画を設定した代表画設定部１９４は、ステップＳ７６に処理を進める。
【０１１９】
ステップＳ７３において、代表画が指定されていないと判定した場合、代表画設定部１９４は、ステップＳ７５に処理を進め、ディスク１３２に記録されているクリップの内、最初のクリップの先頭フレームをディスクの代表画に設定する。
【０１２０】
なお、最初のクリップとは、図１６乃至図１９に示されるようなインデックスファイルのXML記述において、最初に再生するように指示されているクリップ（図１６乃至図１９の例の場合、第１のクリップ）のことであり、先頭フレームとは、インデックスファイルのXML記述等で指定された、最初に再生するフレームのことである。
【０１２１】
代表画を設定した代表画設定部１９４は、ステップＳ７６に処理を進める。
【０１２２】
ステップＳ７６において、ディスクメタデータファイル作成部１８１は、以上のようにして得られた各情報を用いて、ディスクメタデータファイルを作成し、ディスクメタデータファイル保持部１５２に保持させる。ディスクメタデータファイル作成部１８１は、ディスクメタデータファイル記録制御部１８３を制御し、ディスクメタデータファイル保持部１５２に保持されたディスクメタデータファイルをディスク１３２に記録し、ディスクメタデータファイル作成処理を終了するとともに、図１１のディスクフォーマット処理を終了する。
【０１２３】
ディスクメタデータファイルは、図示は省略するが、インデックスファイルと同様に、XMLを用いた記述により構成される。ディスクメタデータファイルに記述される要素は、図２１に示される表２４１のようになる。
【０１２４】
表２４１は、要素名、要素タイプ、値の形式または列挙値、値の例、出現、意味、および入力方法を記述したものである。「要素名」の列には、ディスクメタデータファイルに記述可能な要素の名前が示されており、上から「mainTitle」、「subTitle」、「otherTitle」、「CreationDate」、「userDate」、「userDefinedID」、「descriiption」、「typ」、および「PROAV ID」が示されている。「要素タイプ」の列には、各要素のデータの種類が示されている。「nr」は、要素が任意の文字列で構成されることを示しており、「lib:dataTimeType」は、要素が日付情報および時刻情報により構成されることを示しており、「７bit ASCII」は、要素が７ビットで表現可能なASCII文字（US-ASCII）により構成されることを示しており、各文字数は、要素の最大文字数を示しており、「UTF-8」は、エンコード方式が「UTF-8」である文字により要素が構成されることを示している。
【０１２５】
「値の形式または列挙値」の列には、特定のデータの形がある要素の、その定められた形式が示されており、「値の例」の列にはその例が示されている。「出現」の列には、１つのディスクメタデータファイルにその要素が出現しうる文字数が示されており、「０−」の要素は０回以上何回出現してもよく、「０−１」の要素は０回か若しくは１回出現してもよく、「１」の要素は１回出現しなければならず、２回以上出現してはならないことが示されている。「意味」の列には、各要素の意味が示されており、「入力方法」には、その要素の入力方法が示されている。
【０１２６】
以上のような表２４１に示される各要素について、以下に具体的に説明する。「番号」が「１」の行には、メインタイトル要素（mainTitle）の説明が示されている。このメインタイトル要素の要素タイプは任意の文字列（nr）であり、英語であってもよいし、各国語であってもよい。この要素は、メインタイトル、すなわちディスク１３２に記録されたクリップ全体に対するタイトルを記述する要素である。すなわち、このメインタイトル要素は、ユーザがディスク１３２に記録されたデータを容易に認識可能にするための文字情報であり、英語以外のフォントが表示不可能な環境においてもメインタイトルを表示することができるように、英語による記述も併用するほうが望ましい。なお、この要素はあっても無くてもよく、何個記述されていてもよい。また、このメインタイトル要素の内容はユーザ入力により定義される。
【０１２７】
「番号」が「２」の行には、サブタイトル要素（subTitle）の説明が示されている。このサブタイトル要素の要素タイプは任意の文字列（nr）であり、英語であってもよいし、各国語であってもよい。この要素は、上述のメインタイトル要素の補助を目的とした要素であり、メインタイトルを補助するような内容が記述される。すなわち、このサブタイトル要素も、ユーザがディスク１３２に記録されたデータをより容易に認識可能にするための文字情報であり、英語以外のフォントが表示不可能な環境においてもメインタイトルを表示することができるように、英語による記述も併用するほうが望ましい。なお、この要素はあっても無くてもよく、何個記述されていてもよい。また、このサブタイトル要素の内容はユーザ入力により定義される。
【０１２８】
「番号」が「３」の行には、その他のタイトル要素（otherTitle）の説明が示されている。この、その他のタイトル要素の要素タイプは任意の文字列（nr）であり、英語であってもよいし、各国語であってもよい。この要素は、上述のメインタイトル要素およびサブタイトル要素の他に、さらに、タイトルをつけたい場合に用いられる。すなわち、このその他のタイトル要素も、ユーザがディスク１３２に記録されたデータをより容易に認識可能にするための文字情報であり、英語以外のフォントが表示不可能な環境においてもメインタイトルを表示することができるように、英語による記述も併用するほうが望ましい。なお、この要素はあっても無くてもよく、何個記述されていてもよい。また、その他のタイトル要素の内容はユーザ入力により定義される。
【０１２９】
「番号」が「４」の行には、制作日時要素（CreationDate）の説明が示されている。この制作日時要素は、その要素タイプが日付情報および時刻情報（lib:dateTimeType）であり、計時部１１８より取得した日時情報により構成される。この要素は、ディスク１３２のフォーマットの制作日時、すなわち、インデックスファイルの作成日時を示し、この制作日時要素が記述されるように設定されている場合、インデックスファイルの作成時に、その時の日時情報が自動的に記述される。なお、この要素はあっても無くてもよく、何個記述されていてもよい。
【０１３０】
「番号」が「５」の行には、ユーザ日時要素（userDate）の説明が示されている。この制作日時要素は、その要素タイプが日付情報および時刻情報（lib:dateTimeType）であり、ユーザが入力した日時情報により構成される。この要素は、管理を目的としてユーザが制作日時以外の日時を記録しておきたい場合に用いられる。なお、この要素はあっても無くてもよく、何個記述されていてもよい。また、このユーザ日時要素の内容はユーザ入力により定義される。
【０１３１】
「番号」が「６」の行には、ユーザ定義ID要素（userDefinedID）の説明が示されている。このユーザ定義ID要素は、７bitASCIIで６３文字以下の文字列により構成され、例えば、ユーザが独自の管理体系を築いている場合等に定義されるユーザ定義のIDにより構成される。なお、この要素はあっても無くてもよく、最大１個記述することができる。また、このユーザ定義ID要素の内容はユーザ入力により定義される。
【０１３２】
「番号」が「７」の行には、自由記述要素（description）の説明が示されている。この自由記述要素は、UTF-8エンコード方式のテキストで１０２３byte以下の文字列により構成され、ユーザにより入力された自由テキスト文字により構成される。なお、この要素はあっても無くてもよく、最大１個記述することができる。
【０１３３】
「番号」が「８」の行には、代表画要素（typ）の説明が示されている。この代表画要素は、７bitASCIIで１２文字以下の文字列により構成され、例えば、ユーザが、タイトル等のテキスト情報だけでなく、画像情報によって直感的にディスク１３２に記録されたクリップの内容を把握できるようにするためのものであり、ディスク１３２に記録されているクリップの代表的なフレーム画像が設定される。この代表画要素は、「CXXXX-YYYYYY」のように、クリップ番号およびフレーム番号により構成される。すなわち、例えば「C0001-1」のようになる。上述したように、この代表画要素の値は、ユーザがフレーム画像を指定している場合、そのフレーム画像が選択されて設定され、ユーザがフレーム画像を指定していない場合、ディスク１３２に記録されている最初のクリップの先頭フレーム画像（フレーム番号１のフレーム画像）が設定される。なお、この要素はあっても無くてもよく、最大１個記述することができる。
【０１３４】
「番号」が「９」の行には、PROAV ID要素（PROAV ID）の説明が示されている。このPROAV ID要素は、７bitASCIIで１６文字以下の文字列により構成され、インデックスファイルに記述されているPROAV IDの複製（コピー）により構成される。PROAV ID要素は、ディスクメタデータファイル作成時において、インデックスファイルを参照することにより、その内容が決定され記述される。なお、この要素は１個必ず記述する必要がある。また、PROAV ID要素は、２個以上存在してはいけない。
【０１３５】
以上のように作成されたインデックスファイルおよびディスクメタデータファイルは、図２２乃至図２４に示されるようなディレクトリ構造によりディスク１３２において管理される。
【０１３６】
ディスク１３２に記録されたデータは、例えばUDF等のファイルシステムにより管理される。なお、ファイルシステムは、UDFに限らず、例えば、ISO9660（International Organization for Standardization 9660）等、編集装置１が対応できるファイルシステムであればどのようなものであってもよい。また、ディスク３２の代わりにハードディスク等の磁気ディスクを用いた場合、ファイルシステムとして、FAT（File Allocation Tables）、NTFS（New Technology File System）、HFS（Hierarchical File System）、またはUFS（Unix(R) File System）等を用いてもよい。また、専用のファイルシステムを用いるようにしてもよい。
【０１３７】
図２２において、ルートディレクトリ（ROOT）２５１には、画像データや音声データ等の素材データに関する情報、および、それらの素材データの編集結果を示すエディットリスト等が、下位のディレクトリに配置されるPROAVディレクトリ２５２が設けられる。
【０１３８】
PROAVディレクトリ２５２には、上述した、ディスク１３２に記録されている全ての素材データに対するタイトルやコメント、さらに、ディスク１３２に記録されている全ての画像データの代表となるフレームである代表画に対応する画像データのパス等の情報を含むファイルであるディスクメタデータファイル（DISCMETA.XML）２５３、上述した、ディスク１３２に記録されている全てのクリップおよびエディットリストを管理するための管理情報等を含むインデックスファイル（INDEX.XML）２５４、およびインデックスファイル（INDEX.BUP）２５５が設けられている。なお、インデックスファイル２５５は、インデックスファイル２５４を複製したものであり、２つのファイルを用意することにより、信頼性の向上が図られている。
【０１３９】
PROAVディレクトリ２５２には、さらに、ディスク１３２に記録されているデータ全体に対するメタデータであり、例えば、再生履歴等の情報を含むファイルであるディスクインフォメーションファイル（DISCINFO.XML）２５６およびディスクインフォメーションファイル（DISKINFO.BUP）２５７が設けられている。なお、ディスクインフォメーションファイル２５７は、ディスクインフォメーションファイル２５６を複製したものであり、２つのファイルを用意することにより、信頼性の向上が図られている。
【０１４０】
また、PROAVディレクトリ２５２には、上述したファイル以外にも、クリップのデータが下位のディレクトリに設けられるクリップルートディレクトリ（CLPR）２５８、および、エディットリストのデータが下位のディレクトリに設けられるエディットリストルートディレクトリ（EDTR）２５９が設けられる。
【０１４１】
クリップルートディレクトリ２５８には、ディスク１３２に記録されているクリップのデータが、クリップ毎に異なるディレクトリに分けて管理されており、例えば、図２２の場合、３つのクリップのデータが、クリップディレクトリ（C0001）２６１、クリップディレクトリ（C0002）２６２、および、クリップディレクトリ（C0003）２６３の３つのディレクトリに分けられて管理されている。すなわち、ディスク１３２に記録された最初のクリップの各データは、クリップディレクトリ２６１以下のファイルとして管理され、２番目にディスク１３２に記録されたクリップの各データは、クリップディレクトリ２６２以下のファイルとして管理され、３番目にディスク１３２に記録されたクリップの各データは、クリップディレクトリ２６３以下のファイルとして管理される。
【０１４２】
また、エディットリストルートディレクトリ２５９には、ディスク１３２に記録されているエディットリストが、その編集処理毎に異なるディレクトリに分けて管理されており、例えば、図２２の場合、４つのエディットリストが、エディットリストディレクトリ（E0001）２６４、エディットリストディレクトリ（E0002）２６５、エディットリストディレクトリ（E0003）２６６、およびエディットリストディレクトリ（E0004）２６７の４つのディレクトリに分けて管理されている。すなわち、ディスク１３２に記録されたクリップの１回目の編集結果を示すエディットリストは、エディットリストディレクトリ２６４以下のファイルとして管理され、２回目の編集結果を示すエディットリストは、エディットリストディレクトリ２６５以下のファイルとして管理され、３回目の編集結果を示すエディットリストは、エディットリストディレクトリ２６６以下のファイルとして管理され、４回目の編集結果を示すエディットリストは、エディットリストディレクトリ２６７以下のファイルとして管理される。
【０１４３】
上述したクリップルートディレクトリ２５８に設けられるクリップディレクトリ２６１以下には、最初にディスク１３２に記録されたクリップの各データが、図２３に示されるようなファイルとして設けられ、管理される。
【０１４４】
図２２の場合、クリップディレクトリ２６１には、このクリップを管理するファイルであるクリップインフォメーションファイル（C0001C01.SMI）２７１、このクリップの画像データを含むファイルである画像データファイル（C0001V01.MXF）２７２、それぞれ、このクリップの各チャンネルの音声データを含む８つのファイルである音声データファイル（C0001A01.MXF乃至C0001A08.MXF）２７３乃至２８０、このクリップのサブストリームデータを含むファイルであるローレゾデータファイル（C0001S01.MXF）２８１、このクリップの素材データに対応する、リアルタイム性を要求されないメタデータであるクリップメタデータを含むファイルであるクリップメタデータファイル（C0001M01.XML）２８２、このクリップの素材データに対応する、リアルタイム性を要求されるメタデータであるフレームメタデータを含むファイルであるフレームメタデータファイル（C0001R01.BIM）２８３、並びに、画像データファイル２７２のフレーム構造（例えば、MPEG等におけるピクチャ毎の圧縮形式に関する情報や、ファイルの先頭からのオフセットアドレス等の情報）が記述されたファイルであるピクチャポインタファイル（C0001I01.PPF）２８４等のファイルが設けられる。
【０１４５】
図２３の場合、再生時にリアルタイム性を要求されるデータである、画像データ、ローレゾデータ、およびフレームメタデータは、それぞれ１つのファイルとして管理され、読み出し時間が増加しないようになされている。
【０１４６】
また、音声データも、再生時にリアルタイム性を要求されるが、7.1チャンネル等のような音声の多チャンネル化に対応するために、８チャンネル用意され、それぞれ、異なるファイルとして管理されている。すなわち、音声データは８つのファイルとして管理されるように説明したが、これに限らず、音声データに対応するファイルは、７つ以下であってもよいし、９つ以上であってもよい。
【０１４７】
同様に、画像データ、ローレゾデータ、およびフレームメタデータも、場合によって、それぞれ、２つ以上のファイルとして管理されるようにしてもよい。
【０１４８】
また、図２３において、リアルタイム性を要求されないクリップメタデータは、リアルタイム性を要求されるフレームメタデータと異なるファイルとして管理される。これは、画像データ等の通常の再生中に必要の無いメタデータを読み出さないようにするためであり、このようにすることにより、再生処理の処理時間や、処理に必要な負荷を軽減することができる。
【０１４９】
なお、クリップメタデータファイル２８２は、汎用性を持たせるためにXML形式で記述されているが、フレームメタデータファイル２８３は、再生処理の処理時間や処理に必要な負荷を軽減させるために、XML形式のファイルをコンパイルしたBIM（BInary format for MPEG-7 data）形式のファイルである。
【０１５０】
図２３に示されるクリップディレクトリ２６１のファイルの構成例は、ディスク１３２に記録されている各クリップに対応する全てのクリップディレクトリにおいて適用することができる。すなわち、図２２に示される、その他のクリップディレクトリ２６２および２６３においても、図２３に示されるファイルの構成例を適用することができるので、その説明を省略する。
【０１５１】
以上において、１つのクリップに対応するクリップディレクトリに含まれる各ファイルについて説明したが、ファイルの構成は上述した例に限らず、どのような構成であってもよい。
【０１５２】
次に、図２２のエディットリストルートディレクトリ２５９の下位におけるファイルの構成例について説明する。上述したエディットリストルートディレクトリ２５９に設けられるエディットリストディレクトリ２６５の下位のディレクトリには、ディスク１３２に記録されたクリップの各データの２回目の編集結果に関する情報であるエディットリストのデータが、図２４に示されるようなファイルとして設けられ、管理される。
【０１５３】
図２４の場合、エディットリストディレクトリ２６５には、この編集結果（エディットリスト）を管理するファイルであるエディットリストファイル（E0002E01.SMI）２９１、この編集後の素材データ（編集に用いられた全クリップの素材データの内、編集後のデータとして抽出された部分）に対応するクリップメタデータ、または、そのクリップメタデータに基づいて新たに生成されたクリップメタデータを含むファイルであるエディットリスト用クリップメタデータファイル（E0002M01.XML）２９２が設けられる。
【０１５４】
エディットリスト用クリップメタデータファイル２９２は、編集結果に基づいて、編集に使用されたクリップのクリップメタデータ（クリップルートディレクトリ２５８の下位のディレクトリに存在するクリップメタデータファイル）より抽出された情報を含むファイルである。例えば、編集が行われると、編集に用いられた各クリップのクリップメタデータから、編集後の素材データに対応する部分のメタデータが抽出され、それらを用いて、編集後の素材データを１クリップとする新たなクリップメタデータが再構成される。また、その新たなクリップメタデータに新たな情報が必要に応じて付加され、エディットリスト用クリップメタデータファイルとして管理される。このエディットリスト用クリップメタデータファイルは、編集毎に生成される。
【０１５５】
なお、このエディットリスト用クリップメタデータファイル２９２は、汎用性を持たせるために、XML形式で記述される。
【０１５６】
図２４に示されるエディットリストディレクトリ２６５のファイルの構成例は、全てのエディットリスト（編集結果）において適用することができる。すなわち、図２２に示される、その他のエディットリストディレクトリ２６４、２６６、または２６７においても、図２４に示されるファイルの構成例を適用することができるので、その説明を省略する。
【０１５７】
以上において、１回の編集作業に対応するエディットリストディレクトリに含まれる各ファイルについて説明したが、ファイルの構成は上述した例に限らず、どのような構成であってもよい。
【０１５８】
以上のように、ディスクメタファイルおよびインデックスファイルは、PROAVディレクトリの直下に配置され、クリップやエディットリストとは分けて管理される。
【０１５９】
次に、このようにディスク１３２に記録されて管理されているディスクメタデータファイルを更新する際に実行されるディスクメタデータファイル更新処理を、図２５のフローチャートを参照して説明する。
【０１６０】
ディスクメタデータファイル更新処理が開始されると、最初に、ディスクメタデータファイル読み出し部１６２は、ステップＳ９１において、ドライブ１２６を制御し、ドライブ１２６に装着されたディスク１３２よりディスクメタデータファイルを読み込み、ディスクメタデータファイル保持部１５２に保持させる。
【０１６１】
ディスクメタデータファイル保持部１５２がディスクメタデータファイルを保持すると、ステップＳ９２において、ディスクメタデータファイル管理部１８２に制御された代表画設定部１９４は、ディスクの代表画を更新するか否かを判定する。ユーザの指示等に基づいて、ディスクの代表画を更新すると判定した場合、代表画設定部１９４は、ステップＳ９３に処理を進め、ディスクの代表画が指定されているか否かを判定する。ユーザに予めディスクの代表画を指定されておりその指定情報が情報保持部１１４等に保持されており、ディスクの代表画が指定されていると判定した場合、代表画設定部１９４は、ステップＳ９４に処理を進め、指定されたフレームをディスク１３２の代表画（ディスク１３２に記録されている全クリップの代表画）に設定し、処理をステップＳ９６に進める。
【０１６２】
また、ステップＳ９３において、ディスクの代表画の指定情報等が存在せず、ディスクの代表画が指定されていないと判定した場合、代表画設定部１９４は、ステップＳ９５に処理を進め、ディスク１３２に記録されている最初のクリップの先頭フレームをディスク１３２の代表画（ディスク１３２に記録されている全クリップの代表画）に設定し、処理をステップＳ９６に進める。
【０１６３】
なお、ステップＳ９２において、ユーザ等の指示に基づいて、ディスクの代表画を更新しないと判定した場合、代表画設定部１９４は、ステップＳ９３乃至Ｓ９５の処理を省略し、ステップＳ９６に処理を進める。
【０１６４】
ステップＳ９６において、代表画設定部１９４は、ディスクメタデータファイルに含まれるその他のラベル情報を更新するか否かを判定する。具体的には、代表画設定部１９４は、図２１に示される表２４１を参照して説明したような各要素の内、ユーザ入力可能な要素（例えば、メインタイトル要素、サブタイトル要素、その他のタイトル要素、ユーザ指定日付要素、ユーザ定義ID要素、自由記述要素等）を更新するか否かを、ユーザの指示等に基づいて判定する。
【０１６５】
ラベル情報を更新すると判定した場合、代表画設定部１９４は、ステップＳ９７に処理を進め、ラベル情報の、更新を指示された要素を更新し、ステップＳ９８に処理を進める。また、ステップＳ９６において、ラベル情報を更新しないと判定した場合、代表画設定部１９４は、ステップＳ９７の処理を省略し、ステップＳ９８に処理を進める。
【０１６６】
ディスクメタデータファイルに含まれる各要素の更新が完了すると、ディスクメタデータファイル記録制御部１８３に制御されたPROAV ID比較部１９３は、ステップＳ９８において、PROAV ID要素の値（すなわち、ディスクメタデータファイルのPROAV ID）をインデックスファイルのPROAV IDと比較する。そして、PROAV ID比較部１９３は、ステップＳ９９において、ステップＳ９８の比較処理の結果に基づいて、２つのPROAV IDが一致するか否かを判定する。
【０１６７】
２つのPROAV IDが一致し、ディスクメタデータファイルの情報が、ディスク１３２に記録されているクリップやエディットリストに対応すると判定した場合、PROAV ID比較部１９３は、その判定結果をディスクメタデータファイル記録制御部１８３に供給し、ディスクメタデータファイル記録制御部１８３は、その判定結果に基づいて、処理をステップＳ１００に進め、更新されたディスクメタデータファイルをディスクメタデータファイル保持部１５２より取得し、ドライブ１２６を介して、ディスク１３２のディスクメタデータファイルに上書きして記録する。ディスクメタデータファイルをディスク１３２に記録したディスクメタデータファイル記録制御部１８３は、ディスクメタデータファイル更新処理を終了する。
【０１６８】
また、ステップＳ９９において、２つのPROAV IDが一致せず、ディスクメタデータファイルの情報が、ディスク１３２に記録されているクリップやエディットリストに対応しないと判定した場合、PROAV ID比較部１９３は、その判定結果をディスクメタデータファイル記録制御部１８３に供給し、ディスクメタデータファイル記録制御部１８３は、その判定結果に基づいて、処理をステップＳ１０１に進め、エラー処理を行い、出力部１２２を介してディスプレイ等にエラーメッセージを表示する等して、ディスクメタデータファイル更新処理を終了する。
【０１６９】
以上のように、ディスクメタデータファイルをディスク１３２に記録する場合、編集装置１００のPROAV ID比較部１９３は、ディスクメタデータファイルのPROAV IDの値とインデックスファイルのPROAV IDの値とを比較する。これにより、編集装置１００は、より正確にディスクメタデータファイルをディスク１３２に記録することができる。
【０１７０】
例えば、ディスクメタデータファイル更新処理の間に、ディスク１３２に対してフォーマット処理が行われると、ディスク１３２の内容が更新されてしまう。このような場合に、PROAV IDの比較を行うことにより、ディスクメタデータファイルの内容と、他のクリップやエディットリストの内容とが異なってしまうのを防止することができる。
【０１７１】
図２６のその具体例を示す。図２６において、最初の状態のディスク３０１（図中左側のディスク３０１）には、第１フォーマットデータ３０２が記録されている。この状態のディスク３０１からディスクメタデータファイル３０３が読み出され、更新処理が行われた後、再度、同じ状態のディスク３０１に記録される場合、PROAV IDの比較により更新されたディスクメタデータファイルが第１フォーマットデータ３０２に対応すると判定されるので、更新されたディスクメタデータファイル３０３は、ディスク３０１に記録することができる。
【０１７２】
これに対して、最初の状態のディスク３０１（図中左側のディスク３０１）からディスクメタデータファイル３０３が読み出され、更新処理が行われている間に、ディスク３０１に対してフォーマット処理が行われ、第２フォーマットデータ３０４がディスク３０１に記録された場合（図中右側のディスク３０１）、更新処理後、再度、同じディスク３０１にディスクメタデータファイル３０３が記録されるとき、PROAV IDの比較が行われ、更新されたディスクメタデータファイル３０３が第２フォーマットデータ３０４に対応しないと判定されるので、このディスクメタデータファイル３０３は、ディスク３０１（図中右側のディスク３０１）に記録することができない。
【０１７３】
このように、PROAV IDは、ハードウェアとしてのディスク１３２単位では無く、フォーマット単位の識別を行うことができるので、編集装置１００は、より正確にディスクメタデータファイルをディスク１３２に記録することができる。また、このPROAV IDをインデックスファイルやディスクメタデータファイルに含めてディスク１３２に記録することにより、他の装置においても、このPROAV IDを利用することができる。
【０１７４】
なお、このPROAV IDは、上述したように、フォーマットを指定したり、ディスクメタデータの確認を行ったりするために用いられるIDであり、クリップやエディットリストを指定するために用いられるUMIDとは、基本的にその利用目的や利用方法が異なる。以下にUMIDの利用方法について説明する。
【０１７５】
クリップやエディットリストを指定するために用いられるUMIDは、図１６乃至図１９に示したように、クリップやエディットリストを管理するインデックスファイルに記述されたり、各クリップのクリップインフォメーションファイルや、各エディットリストのエディットリストファイルに記述されたりする。まず、クリップインフォメーションファイルに記述されるUMIDについて説明する。
【０１７６】
クリップインフォメーションファイルは、クリップがディスク１３２に記録される際に作成される。クリップをディスク１３２に追加する際に実行されるクリップ追加処理について、図２７のフローチャートを参照して説明する。また、必要に応じて、図２８および図２９を参照して説明する。
【０１７７】
ユーザ等により、ディスク１３２に新たなクリップの追加が指示されると、編集装置１００の記録制御部１１６は、ステップＳ１２１において、ディスク１３２のクリップルートディレクトリの下に新たなクリップディレクトリを作成する。その際、クリップディレクトリ名は、既存のクリップディレクトリ名と重複しないように設定する。
【０１７８】
次に、記録制御部１１６のUMID作成部１７４は、ステップＳ１２２において、クリップおよびクリップに含まれる各素材データに対するUMIDを作成する。UMID作成部１７４は、作成したUMIDを情報保持部１１４に供給し、保持させる。なお、追加するクリップに予めUMIDが割り当てられている場合、UMID作成部１７４は、そのUMIDを取得し、情報保持部１１４に供給して保持させる。
【０１７９】
ステップＳ１２２の処理が終了すると、記録制御部１１６は、ステップＳ１２３に処理を進め、ステップＳ１２１の処理において作成したクリップディレクトリの下にクリップインフォメーションファイルを作成する。
【０１８０】
図２８および図２９は、XMLで記述されたクリップインフォメーションファイルの具体的な記述例を示す図である。なお、図２８および図２９において、各行頭の数字は、説明の便宜上付加したものであり、XML記述の一部ではない。
【０１８１】
上述したようにクリップインフォメーションファイルは、そのクリップインフォメーションファイルと同じクリップディレクトリ内に存在する他のファイルに関する情報を管理するファイルであり、それらのファイルの再生方法についても記述されている。
【０１８２】
図２８および図２９に示されるように、クリップインフォメーションファイルのXML記述は、大きく分けて、クリップインフォメーションファイルに関する情報と、ヘッダタグ（<head> </head>）で囲まれるヘッダ部と、ボディタグ（<body> </body>）で囲まれるボディ部により構成される。
【０１８３】
図２８の１行目乃至３行目には、クリップインフォメーションファイルに関する情報が記述されている。１行目には、この記述がXMLのバージョン「１．０」に基づく記述であることと、文字エンコード方法が「UTF-8」であることが示されている。また２行目には、使用される名前空間識別子が記述されている。
【０１８４】
図２８の３行目の「umid="0D12130000000000001044444484EEEE00E0188E130B"」の記述は、このクリップインフォメーションファイルに割り当てられたUMIDの値が「0D12130000000000001044444484EEEE00E0188E130B」であることを示している。ここでは、３２バイトの基本UMIDの内、１２バイトで構成されるユニバーサルラベルの中の１０バイトを省略した２２バイトが示されている。なお、各桁は１６進数で示されており、２２バイトのUMIDが４４文字で示されている。なお、もちろんUMIDに６４バイトの拡張UMIDを用いるようにしてもよい。
【０１８５】
図２８および図２９の場合、ヘッダ部は、図２８の４行目から図２８の１１行目までに記述されており、ボディ部は、図２８の１２行目から図２９の２３行目に記述されている。
【０１８６】
ヘッダ部には、同じクリップディレクトリに存在するクリップメタデータファイルの情報が記述されており、ボディ部には、同じクリップディレクトリに存在する、クリップメタデータファイル以外のファイルの情報が再生方法とともに記述されている。
【０１８７】
例えば、図２８の７行目乃至９行目には、クリップメタデータファイルの情報が記述されている。
【０１８８】
また、図２８の１７行目乃至１９行目には、画像データファイルの情報が記述されており、図２８の２０行目乃至２２行目には、チャンネル１の音声データファイルの情報が記述されており、図２８の２３行目乃至２５行目には、チャンネル２の音声データファイルの情報が記述されており、図２８の２６行目乃至２８行目には、チャンネル３の音声データファイルの情報が記述されており、図２８の２９行目乃至図２９の１行目には、チャンネル４の音声データファイルの情報が記述されており、図２９の２行目乃至４行目には、チャンネル５の音声データファイルの情報が記述されており、図２９の５行目乃至７行目には、チャンネル６の音声データファイルの情報が記述されており、図２９の８行目乃至１０行目には、チャンネル７の音声データファイルの情報が記述されており、図２９の１１行目乃至１３行目には、チャンネル８の音声データファイルの情報が記述されている。
【０１８９】
また、図２９の１６行目乃至１８行目には、サブストリームであるローレゾデータファイルの情報が記述されており、図２９の２１行目には、フレームメタデータファイルの情報が記述されている。
【０１９０】
これらの画像データ、音声データ、およびローレゾデータは、それぞれ、UMIDを用いてそのファイルが特定されている。具体的には、図２８の１８行目には、「umid:060A2B340101010501010D12130000000123456789ABCDEF0123456789ABCDEF」と記述されており、画像データがUMIDを用いて指定されている。２１行目には、「umid:060A2B340101010501010D1213000000123456789ABCDEF0123456789ABCDEF0」と記述されており、チャンネル１の音声データがUMIDを用いて指定されている。また、チャンネル２に対応する音声データについては、２４行目において、「umid:060A2B340101010501010D121300000023456789ABCDEF0123456789ABCDEF01」と記述されており、チャンネル２の音声データがUMIDを用いて指定されている。さらに、チャンネル２に対応する音声データについては、２７行目において、「umid:060A2B340101010501010D12130000003456789ABCDEF0123456789ABCDEF012」と記述されており、チャンネル３の音声データがUMIDを用いて指定されている。
【０１９１】
チャンネル４に対応する音声データについては、図２８の３０行目において、「umid:060A2B340101010501010D1213000000456789ABCDEF0123456789ABCDEF0123」と記述されており、チャンネル４の音声データがUMIDを用いて指定されている。また、チャンネル５に対応する音声データについては、図２９の３行目において、「umid:060A2B340101010501010D121300000056789ABCDEF0123456789ABCDEF01234」と記述されており、チャンネル５の音声データがUMIDを用いて指定されている。チャンネル６に対応する音声データについては、図２９の６行目において、「umid:060A2B340101010501010D12130000006789ABCDEF0123456789ABCDEF012345」と記述されており、チャンネル６の音声データがUMIDを用いて指定されている。
【０１９２】
チャンネル７に対応する音声データについては、図２９の９行目において、「umid:060A2B340101010501010D1213000000789ABCDEF0123456789ABCDEF0123456」と記述されており、チャンネル７の音声データがUMIDを用いて指定されている。また、チャンネル８に対応する音声データについては、１２行目において、「umid:060A2B340101010501010D121300000089ABCDEF0123456789ABCDEF01234567」と記述されており、チャンネル８の音声データがUMIDを用いて指定されている。
【０１９３】
さらに、サブストリームであるローレゾデータについては、１７行目において、「umid:060A2B340101010501010D12130000009ABCDEF0123456789ABCDEF012345678」と記述されており、ローレゾデータがUMIDを用いて指定されている。
【０１９４】
以上のように、クリップインフォメーションファイルのXML記述には、同じクリップディレクトリ内に存在する他のファイルに関する情報が記述されている。また、クリップインフォメーションファイルは、３２バイト（６４文字）の基本UMIDを用いて画像データや音声データ等のファイルを指定しアクセスすることができる。
【０１９５】
なお、図１６乃至図１９を参照して説明したように、クリップインフォメーションファイルに記述される各UMIDは、インデックスファイルにおいても記述されている。従って、例えば、編集装置１００（ユーザ）がこのクリップを、UMIDを用いて指定して再生する場合、編集装置１００は、インデックスファイルのクリップテーブルを参照し、UMIDに対応するクリップインフォメーションファイルを読み出して参照し、クリップインフォメーションファイルの記述に基づいて、各素材データを読み出して再生するようにしてもよいし、インデックスファイルのクリップテーブルの、指定されたクリップ要素の記述に基づいて、各素材データを読み出して再生するようにしてもよい。
【０１９６】
クリップインフォメーションファイルにUMIDが記述されることにより、編集装置１００は、このクリップをディスク１３２の外部に記録する場合に、このクリップ（クリップディレクトリ以下のファイル）を記録するだけで、クリップ（または素材データ）に割り当てられたUMIDを利用することができる。
【０１９７】
なお、図２８および図２９において、上述したように、各データを示すUMIDの例が記述してあるが、これらは、UMIDの記述位置等を示すだけのものであり、それらの値が意味を持たない仮想のUMIDである。実際には、SMPTEの定める方法に基づいて作成された正当なUMIDが上述した仮想UMIDの代わりに各位置に記述される。
【０１９８】
図２７に戻り、ステップＳ１２４において、記録制御部１１６は、ステップＳ１２１の処理において作成したクリップディレクトリの下に、クリップを構成する素材データ毎に各ファイルを作成する。例えば、追加するクリップが画像データと、音声データと、クリップメタデータで構成される場合、記録制御部１１６は、その画像データ、音声データ、およびクリップメタデータを互いに異なるファイルとして記録する。
【０１９９】
ステップＳ１２４の処理を終了した記録制御部１１６は、ステップＳ１２５に処理を進める。ステップＳ１２５において、記録制御部１１６のインデックスファイル管理部１７２は、情報保持部１１４に保持されているクリップのUMIDを用いて、インデックスファイルのクリップテーブルに追加する、追加した追加したクリップに対応するクリップの情報（以下、クリップ要素と称する）を作成する。
【０２００】
クリップ要素を作成したインデックスファイル管理部１７２は、ステップＳ１２６に処理を進め、インデックスファイル保持部１５１に保持されているインデックスファイルのクリップテーブルに、追加したクリップに対応するクリップ要素を追加する。
【０２０１】
そして、ステップＳ１２７において、インデックスファイル記録制御部１７３は、インデックスファイル保持部１５１に保持されている、更新されたインデックスファイルを、ディスク１３２に既存のインデックスファイルに上書きして記録する（更新する）。ディスク１３２のインデックスファイルを更新したインデックスファイル記録制御部１７３は、クリップ追加処理を終了する。
【０２０２】
以上のようにして、クリップインフォメーションファイルや各素材データのファイルに割り当てられたUMIDは、クリップの追加時等に作成され、クリップインフォメーションファイルおよびインデックスファイルに記録される。これらのUMIDは、上述したように、各UMIDが対応するクリップインフォメーションファイルや各素材データを読み出して再生したり、検索したりする際に利用される。
【０２０３】
次に、エディットリストファイルに記述されるUMIDについて説明する。
【０２０４】
エディットリストファイルは、エディットリストがディスク１３２に記録される際に作成される。エディットリストをディスク１３２に追加する際に実行されるエディットリスト追加処理について、図３０のフローチャートを参照して説明する。また、必要に応じて、図３１を参照して説明する。
【０２０５】
例えば、ディスク１３２に記録されているクリップに対して、元の素材データを更新せずに編集を行い、その編集情報であるエディットリストを作成する非破壊編集が行われた後に、ユーザ等により、ディスク３２に新たなエディットリストの追加が指示されると、編集装置１００の記録制御部１１６は、ステップＳ１４１において、ディスク１３２のルートディレクトリの下に新たなエディットリストディレクトリを作成する。その際、エディットリストディレクトリ名は、既存のエディットリストディレクトリ名と重複しないように設定する。
【０２０６】
次に、記録制御部１１６のUMID作成部１７４は、ステップＳ１４２において、エディットリストファイルに対するUMIDを作成する。UMID作成部１７４は、作成したUMIDを情報保持部１１４に供給し、保持させる。なお、追加するエディットリスト（エディットリストファイル）に予めUMIDが割り当てられている場合、UMID作成部１７４は、そのUMIDを取得し、情報保持部１１４に供給して保持させる。
【０２０７】
ステップＳ１４２の処理が終了すると、記録制御部１１６は、ステップＳ１４３に処理を進め、ステップＳ１４１の処理において作成したエディットリストディレクトリの下にエディットリストファイルを作成する。
【０２０８】
図３１は、XMLで記述されたエディットリストファイルの具体的な記述例を示す図である。なお、図３１において、各行頭の数字は、説明の便宜上付加したものであり、XML記述の一部ではない。
【０２０９】
エディットリストファイルは、クリップの非破壊編集の編集情報を含むファイルであり、その編集結果の再生方法についても記述されている。
【０２１０】
図３１に示されるように、エディットリストファイルのXML記述は、大きく分けて、エディットリストに関する情報と、ヘッダタグ（<head> </head>）で囲まれるヘッダ部と、ボディタグ（<body> </body>）で囲まれるボディ部により構成される。
【０２１１】
図３１の１行目乃至３行目には、エディットリストファイルに関する情報が記述されている。１行目には、この記述がXMLのバージョン「１．０」に基づく記述であることと、文字エンコード方法が「UTF-8」であることが示されている。また２行目には、使用される名前空間識別子が記述されている。
【０２１２】
図３１の３行目の「umid="0D12130000000000001044444484EEEE00E0188E130B"」の記述は、このエディットリストファイルに割り当てられたUMIDの値が「0D12130000000000001044444484EEEE00E0188E130B」であることを示している。ここでは、３２バイトの基本UMIDの内、１２バイトで構成されるユニバーサルラベルの中の１０バイトを省略した２２バイトが示されている。なお、各桁は１６進数で示されており、２２バイトのUMIDが４４文字で示されている。なお、もちろんUMIDに６４バイトの拡張UMIDを用いるようにしてもよい。
【０２１３】
図３１の場合、ヘッダ部は、４行目から１１行目までに記述されており、ボディ部は、１２行目から２５行目に記述されている。
【０２１４】
ヘッダ部には、編集記述の時間的振る舞いと関係無い情報が含まれており、例えばメタデータに関する情報等が記述される。５行目の開始タグ「<metadata type="Meta">」から１０行目の「</metadata>」の終了タグの間に記述されるメタデータ要素は、メタ情報のルート要素として用いられる。なお、５行目に記載されている「type="Meta"」は、メタデータの内容のメディア型を指定するタイプ属性である。タイプ属性は、任意の文字列により指定可能である。７行目に記述されている「<NRMeta xmlns="urn:schemas:professionalDisc:nrt">」は、要素や属性を識別するための名前空間識別子を指定する記述である。また、８行目に記述されているref要素「<ref src="E0002M01.XML"/>」は、参照するエディットリスト用メタデータファイルのファイル名が「E0002M01.XML」であることを示している。
【０２１５】
ボディ部には、編集記述の時間的振る舞いと関係する情報が記述される。図３１の場合、１３行目の開始タグ「<par>」と２４行目の終了タグ「</par>」の間に記述されるpar要素は、時間コンテナであり、複数の要素を同時に再生する単純時間グループを定義する。図３１の場合、第１のクリップ（Clip１）と第２のクリップ（Clip２）が同時に再生されるように示されている。ただし、図３１の場合、後述するように、２つのクリップの再生開始時間が互いにずれており、実際には、この２つのクリップが連続して再生されるように為されている。
【０２１６】
図３１において、１５行目乃至１８行目のref要素には、参照するファイルおよび参照するファイルを再生する際の条件等が記述されている。１６行目の「src="urn:smpte:umid:060A2B340101010501010D1213000000FEDCBA9876543210FEDCBA9876543210"」の記述は、参照先のファイルに割り当てられたUMIDの値が、「060A2B340101010501010D1213000000FEDCBA9876543210FEDCBA9876543210」であることを示している。
【０２１７】
また、１７行目の「type="edlDoc"」の記述は、参照先のファイルのタイプ属性が「edldoc」であることを示している。同じく、１７行目に記述されている「begin="smpte-30=00:00:00:00"」は、この第１のクリップが開始される時刻、すなわち、素材が開始されるエディットリストのFTC（File Time Code）上での位置を示しており、単位はフレーム数である。なお、「smpte-30」は、使用するタイムコードが、SMPTEで定義される３０フレーム毎秒のSMPTEタイムコードであることを示す記述である。なお、１７行目の「clipBegin="smpte-30=00:00:00:00"」は、この第１のクリップの、再生を開始する位置、すなわち、素材の切り出し開始地点をこの第１のクリップのFTC上で示しており、単位はフレーム数である。また、同様に、図３１の１７行目および１８行目に記述されている「clipEnd="smpte-30=00:10:00:00"」は、この第１のクリップの再生を終了する位置、すなわち、素材の切り出し終了地点をこの第１のクリップのFTC上で示している。
【０２１８】
以上のように、第１のクリップは、時刻「00:00:00:00」に、フレーム番号「00:00:00:00」の位置から再生が開始され、フレーム番号「00:10:00:00」の位置まで再生される。
【０２１９】
また、第２のクリップについても、２１行目乃至２３行目において、第１のクリップの場合と同様に記述されている。図３１の場合、第２のクリップは、時刻「00:10:00:00」に、フレーム番号「00:02:00:00」の位置から再生され、フレーム番号「00:03:30:00」の位置まで再生される。
【０２２０】
以上のような第１のクリップの再生、第２のクリップの再生がpar要素により、同時に行われるように指定されている。従って、結果として、時刻「00:00:00:00」に、第１のクリップがフレーム番号「00:00:00:00」の位置からフレーム番号「00:10:00:00」まで再生される。これにより、時刻「00:10:00:00」になると、今度は、第２のクリップがフレーム番号「00:02:00:00」の位置からフレーム番号「00:03:30:00」の位置まで再生される。以上のように、図３１に示されるエディットリストにおいては、第１のクリップと第２のクリップが、連続して再生されるように編集されていることが示されている。
【０２２１】
以上のように、エディットリストファイルのXML記述には、クリップの非破壊編集の編集情報が記述されている。また、エディットリストファイルは、３２バイト（６４文字）の基本UMIDを用いて画像データや音声データ等のファイルを指定しアクセスすることができる。
【０２２２】
なお、図３１において、各データを示すUMIDの例が、例えば、３行目、１６行目、および２１行目に記述してあるが、これらは、UMIDの記述位置等を示すだけのものであり、それらの値が意味を持たない仮想のUMIDである。実際には、SMPTEの定める方法に基づいて作成された正当なUMIDが上述した仮想UMIDの代わりに各位置に記述される。
【０２２３】
例えば、編集装置１００（ユーザ）がこのエディットリストを、UMIDを用いて指定して再生する場合、編集装置１００は、インデックスファイルのエディットリストテーブルを参照し、UMIDに対応するエディットリストファイルを読み出して参照し、エディットリストファイルの記述に基づいて各クリップのクリップインフォメーションファイルを参照し、それに従って、各素材データを読み出して再生する。
【０２２４】
エディットリストファイルにUMIDが記述されることにより、編集装置１００は、このエディットリストをディスク１３２の外部に記録する場合に、このエディットリストファイルを記録するだけで、エディットリストファイルに割り当てられたUMIDを利用することができる。
【０２２５】
図３０に戻り、ステップＳ１４４において、記録制御部１１６は、ステップＳ１４１の処理において作成したエディットリストディレクトリの下に、エディットリストを構成する、例えばエディットリスト用クリップメタデータファイルのような、エディットリストファイル以外の各ファイルを作成する。
【０２２６】
ステップＳ１４４の処理を終了した記録制御部１１６は、ステップＳ１４５に処理を進める。ステップＳ１４５において、記録制御部１１６のインデックスファイル管理部１７２は、情報保持部１１４に保持されているエディットリストのUMIDを用いて、インデックスファイル保持部１５１に保持されているインデックスファイルのエディットリストテーブルに追加するエディットリストの情報（エディットリスト要素）を作成する。そして、記録制御部１１６のインデックスファイル管理部１７２は、ステップＳ１４６に処理を進め、インデックスファイル保持部１５１に保持されているインデックスファイルのエディットリストテーブルに、追加したエディットリストに対応するエディットリスト要素を追加する。エディットリスト要素を追加すると、インデックスファイル管理部１７２は、ステップＳ１４７に処理を進める。
【０２２７】
ステップＳ１４７において、インデックスファイル記録制御部１７３は、インデックスファイル保持部１５１に保持されている、更新されたインデックスファイルを、ディスク１３２に既存のインデックスファイルに上書きして記録する（更新する）。ディスク１３２のインデックスファイルを更新したインデックスファイル記録制御部１７３は、エディットリスト追加処理を終了する。
【０２２８】
以上のようにして、エディットリストファイルに割り当てられたUMIDは、エディットリストの追加時等に作成され、エディットリストファイルおよびインデックスファイルに記録される。このUMIDは、上述したように、UMIDが対応するエディットリストファイルを読み出して再生したり、検索したりする際に利用される。
【０２２９】
以上のように、UMIDは、そのUMIDが対応するクリップやエディットリストを読み出す（再生する）ために利用される。また、UMIDは、ディスク１３２内に記録されているクリップやエディットリストを一元管理するために、インデックスファイルにおいて管理されるとともに、クリップやエディットリストをディスク１３２の外部に記録した場合にも利用できるように、クリップインフォメーションファイルやエディットリストファイルにもそれぞれ記述されて管理されている。
【０２３０】
これに対して、PROAV IDは、上述したように、インデックスファイルに記述される、ディスク１３２（フォーマット）を識別するためのIDであり、このPROAV IDのみを用いてもクリップやエディットリストを読み出す（再生する）ことはできない。また、PROAV IDは、ディスク１３２に記録されているデータのラベル情報を含むディスクメタデータファイルにも記述されており、ディスクメタデータファイルを更新するなどして、ディスク１３２に記録する際に、ディスクメタデータファイルが記録するディスク１３２に記録されているデータに対応しているか否かを判定する処理にも用いられる。
【０２３１】
次に、上述したPROAV IDを用いたクリップの検索処理について説明する。なお、ここでは、上述したように作成されたディスク１３２を利用可能な、編集装置１００とは異なる再生装置の場合について説明する。
【０２３２】
図３２は、本発明を適用した再生装置の構成例を示す図である。なお、図３２において、図６の編集装置１００と対応する部分には同一の符号を付しており、その説明を適宜省略する。
【０２３３】
再生装置３５０は、図６の編集装置１００等において、上述したように作成された（クリップやエディットリストが記録された）ディスク１３２を利用可能な（ディスク１３２に記録されたクリップやエディットリストを読み出して再生することができる）再生装置である。
【０２３４】
再生装置３５０の入出力インタフェース１２０には、図６の編集装置１００のドライブ１２６と同様の３台のドライブ（ドライブ１２６−１乃至ドライブ１２６−３）が接続されている。ドライブ１２６−１乃至ドライブ１２６−３は、それぞれ、１枚ずつ、上述したディスク１３２を脱着可能であり、後述する再生制御部３５５等に制御されて、装着されたディスク１３２に記録されているクリップやエディットリスト等を読み出して、情報保持部１１４や再生制御部３５５等に供給する。図３２においては、ドライブ１２６−１乃至１２６−３には、それぞれ、ディスク１３２と同様のディスク１３２−１乃至１３２−３が１枚ずつ装着されている。
【０２３５】
なお、以下において、ディスク１３２−１乃至１３２−３を分けて説明する必要の無い場合、ディスク１３２と称する。同様に、ドライブ１２６−１乃至１２６−３を分けて説明する必要の無い場合、ドライブ１２６と称する。
【０２３６】
再生装置３５０のバス１１７には、CPU１１１乃至情報保持部１１４の他に、クリップやエディットリストの再生処理等を制御する再生制御部３５５が接続されている。再生制御部３５５には、インデックスファイル読み出し部１６１、ディスクメタデータファイル読み出し部１６２、およびクリップ検索部３７１が内蔵されている。インデックスファイル読み出し部１６１およびディスクメタデータファイル読み出し部１６２は、ドライブ１２６−１乃至１２６−３のいずれかにディスク１３２（ディスク１３２−１乃至ディスク１３２−３）が接続される際に、そのディスク１３２より、それぞれ、インデックスファイルまたはディスクメタデータファイルを読み出す処理を行う。
【０２３７】
クリップ検索部３７１は、ユーザ等に指定されたクリップやエディットリストをドライブ１２６−１乃至ドライブ１２６−３にそれぞれ装着されたディスク１３２−１乃至ディスク１３２−３より検索する。
【０２３８】
次に再生装置３５０の動作について説明する。ドライブ１２６−１乃至ドライブ１２６−３のいずれかにディスク１３２−１乃至ディスク１３２−３のいずれかが装着されると、再生制御部３５５のインデックスファイル読み出し部１６１は、そのディスクよりインデックスファイルを読み出し、情報保持部１１４のインデックスファイル保持部１５１（図７）に供給し、それを保持させる。また、再生制御部３５５のディスクメタデータファイル読み出し部１６２は、そのディスクよりディスクメタデータファイルを読み出し、情報保持部１１４のディスクメタデータファイル保持部１５２（図７）に供給し、それを保持させる。そのディスクメタデータファイルは、必要に応じて出力部１２２に供給され、ディスプレイ等に表示される。
【０２３９】
例えば、ユーザは、ディスプレイに表示されたディスクメタデータに含まれるラベル情報を参照するなどして、入力部１２１を介してクリップ（UMID）を指定し、その再生を指示する。このように入力されたクリップ再生指示は、再生制御部３５５に供給される。クリップ再生指示を取得すると再生制御部３５５は、クリップ検索部３７１において、指定されたクリップ（UMID）を、情報保持部１１４のインデックスファイル保持部１５１に保持されている、ディスク１３２−１乃至ディスク１３２−３のインデックスファイルより検索し、指定されたクリップ（UMID）を含むフォーマット（PROAV ID）を特定する。そして、クリップ検索部３７１は、ディスク１３２−１乃至ディスク１３２−３の内、その特定されたフォーマット（PROAV ID）を記録するディスク１３２よりクリップを検索する。そのクリップが存在する場合、再生制御部３５５は、その検索結果に基づいて、指定されたクリップを読み出し、そのクリップの再生処理を行う。
【０２４０】
以上のように、クリップの検索処理に、クリップをグローバルユニークに識別するUMIDだけでなく、フォーマットを識別するPROAV IDを用いることにより、再生装置３５０は、クリップの検索処理の負荷を抑制し、容易にクリップを検索することができる。
【０２４１】
次に、以上のような再生装置３５５のドライブ１２６にディスク１３２を装着した場合に実行されるディスク挿入処理について図３３のフローチャートを参照して説明する。
【０２４２】
ドライブ１２６（ドライブ１２６−１乃至ドライブ１２６−３のいずれか）にディスク１３２（ディスク１３２−１乃至ディスク１３２−３のいずれか）が装着されると、最初に、ステップＳ１６１において、再生制御部３５５のインデックスファイル読み出し部１６１は、ドライブ１２６に装着されたディスク１３２よりインデックスファイルを読み出し、情報保持部１１４のインデックスファイル保持部１５１に供給し、それを保持させる。インデックスファイル保持部１５１にインデックスファイルを保持させると、インデックスファイル読み出し部１６１は、ステップＳ１６２に処理を進める。
【０２４３】
ステップＳ１６２において、ディスクメタデータファイル読み出し部１６２は、インデックスファイルの場合と同様に、ドライブ１２６に装着されたディスク１３２よりディスクメタデータファイルを読み出し、情報保持部１１４のディスクメタデータファイル保持部１５２に供給し、それを保持させる。ディスクメタデータファイル保持部１５２にディスクメタデータファイルを保持させると、ディスクメタデータファイル読み出し部１６２は、ディスク挿入処理を終了する。
【０２４４】
このように、情報保持部１１４のインデックスファイル保持部１５１には、ドライブ１２６−１乃至１２６−３のいずれかに装着されたディスク１３２のインデックスファイルが保持されている。なお、インデックスファイル保持部１５１は、複数のインデックスファイルを保持することができ、その個数はいくつであってもよいが、少なくともドライブ１２６の数より多くのインデックスファイルを保持できるようにするのが望ましい。ここでは、インデックスファイル保持部１５１は、３つ以上のインデックスファイルを同時に保持可能であるものとする。
【０２４５】
また、ディスクメタデータファイル保持部１５２は、必要に応じて保持しているディスクメタデータファイルを出力部１２２等に供給し、それをディスプレイに表示させたりすることができる。なお、ディスクメタデータファイルは、どのタイミングで読み込まれるようにしてもよく、図３３のステップＳ１６２の処理を省略し、ディスク１３２の挿入時にディスクメタデータファイルを読み出さないようにしてもよい。その場合、例えば、ディスクメタデータファイルは、ユーザの指示に基づいて、ディスク１３２より読み出され、出力部１２２に供給されてディスプレイ等に表示されるようにしてもよい。
【０２４６】
ドライブ１２６−１乃至ドライブ１２６−３に、それぞれ、ディスク１３２−１乃至ディスク１３２−３が装着された再生装置３５０において、例えば、ユーザがUMID等を用いてクリップを指定し、そのクリップの再生を指示すると、その指示は再生制御部３５５に供給される。クリップ再生指示を取得した再生制御部３５５の各部は、クリップ検索処理を実行し、指定されたクリップを検索してディスク１３２より読み出す処理を行う。
【０２４７】
クリップ検索処理について、図３４のフローチャートを参照して説明する。
【０２４８】
クリップ検索処理が開始されると、再生制御部３５５のクリップ検索部３７１は、ステップＳ１８１において、指定されたUMIDを、インデックスファイル保持部１５１に保持されている複数のインデックスファイル（以下、インデックスファイル群と称する）より検索し、指定されたUMIDが記述されたインデックスファイル（指定されたクリップが存在するフォーマット）、すなわち、指定されたUMIDに対応するPROAV IDを特定する。
【０２４９】
PROAV IDを特定したクリップ検索部３７１は、ステップＳ１８２に処理を進め、PROAV IDが対応するフォーマットが記録されているディスク１３２にアクセスし、指定されたUMIDに対応するクリップを検索する。すなわち、クリップ検索部３７１は、ステップＳ１８２において、特定されたPROAV IDを、ディスク１３２−１乃至１３２−３のそれぞれに記録されている各インデックスファイルのPROAV IDと比較し、２つの値が一致するディスク１３２を検索する。そして、２つのPROAV ID（ステップＳ１８１の処理により特定されたPROAV IDと、ディスク１３２に記録されているインデックスファイルのPROAV ID）の値が一致すると、クリップ検索部３７１は、そのディスク１３２にアクセスし、そのディスク１３２内において、指定されたUMIDに対応するクリップを検索する。検索が終了すると、クリップ検索部３７１は、処理をステップＳ１８３に進める。
【０２５０】
ステップＳ１８３において、クリップ検索部３７１は、アクセスしたディスク１３２に指定されたUMIDに対応するクリップが存在するか否かを判定する。指定されたUMIDに対応するクリップが存在すると判定した場合、クリップ検索部３７１は、その判定結果を再生制御部３５５に供給するとともに、ステップＳ１８４に処理を進める。再生制御部３５５は、ステップＳ１８４において、取得した判定結果に基づいて、UMIDに対応するクリップを読み出し、クリップ検索処理を終了する。
【０２５１】
また、ステップＳ１８３において、例えば、ディスク１３２がインデックスファイルを読み出された後、そのクリップが削除されるなどして、指定されたUMIDに対応するクリップが存在しないと判定した場合、クリップ検索部３７１は、ステップＳ１８５に処理を進め、エラー処理を実行し、クリップ検索処理を終了する。
【０２５２】
以上のような処理に対して、UMIDより直接クリップを検索する場合（UMIDのみを利用してクリップを検索する場合）、クリップ検索部３７１は、目的のクリップが見つかるまで、ドライブ１２６−１乃至１２６−３に装着された全てのディスク１３２にアクセスし、指定されたUMIDに対応するクリップを検索しなければならない。
【０２５３】
これに対して、以上のように、PROAV IDを利用してクリップ検索処理を実行することにより、目的のクリップが存在するディスク１３２を容易に特定し、そのディスク１３２内においてのみ、指定されたUMIDに対応するクリップを検索すれば良いので、再生装置３５０は、その処理の負荷を、UMIDより直接クリップを検索する場合と比較して、軽減させることができる。これにより、再生装置３５０は、記録媒体に記録された情報を、より容易に識別することができる。
【０２５４】
なお、図３２において、再生装置３５０は、３つのドライブ１２６−１乃至ドライブ１２６−３を有するように説明したが、これに限らず、ドライブの台数は何台であってもよく、２台以下であってもよいし、４台以上であってももちろんよい。
【０２５５】
なお、再生装置３５０がエディットリストを検索する場合も、図３４のフローチャートを参照して説明した、クリップを検索する場合と同様の処理が行われるので、その説明は省略する。
【０２５６】
また、再生装置３５０は、複数のドライブ１２６を有し、複数のディスク１３２に記録されているクリップを再生するように説明したが、これに限らず、例えば、図３５に示されるように、複数のディスクイメージデータを記録するハードディスクを有し、その複数のディスクイメージデータに含まれるクリップを再生するようにしてもよい。
【０２５７】
図３５は、本発明を適用した再生装置の、他の構成例を示すブロック図である。図３５において、なお、図３４において、図３２の再生装置３５０と対応する部分には同一の符号を付しており、その説明を適宜省略する。
【０２５８】
図３５の再生装置４００は、基本的に図３２の再生装置３５０と同様の構成であるが、再生装置３５０のドライブ１２６−１乃至ドライブ１２６−３の代わりに、ディスク１３２に記録されているデータと同等のディスクイメージデータ４２１乃至ディスクイメージデータ４２３を記憶するハードディスク４１１が入出力インタフェース１２０に接続されている点が、再生装置３５０と異なる。
【０２５９】
ハードディスク４１１は、ディスク１３２に記憶されているデータと同等のディスクイメージデータ４２１乃至ディスクイメージデータ４２３を記録しており、これらのディスクイメージデータ４２１乃至ディスクイメージデータ４２３のインタフェース処理を行うことにより、仮想のドライブ１２６として動作している。すなわち、ハードディスク４１１は、図３２のドライブ１２６−１乃至ドライブ１２６−３と同様に動作し、同様の処理を行う。ディスクイメージデータ４２１乃至ディスクイメージデータ４２３は、図３２のディスク１３２−１乃至ディスク１３２−３の個々に記憶されているデータと、それぞれ対応している。すなわち、仮想の図３２のディスク１３２−１乃至ディスク１３２−３である、ディスクイメージデータ４２１乃至ディスクイメージデータ４２３が記憶されたハードディスク４１１を有する再生装置４００は、図３２の再生装置３５０と同様の動作を行い同様に処理を実行する。
【０２６０】
このような再生装置４００がクリップやエディットリストを検索する場合も、図３４のフローチャートを参照して説明した、再生装置３５０がクリップを検索する場合と同様の処理が行われる。すなわち、PROAV IDを利用してクリップ検索処理を実行することにより、目的のクリップが存在するディスクイメージデータ４２１乃至ディスクイメージデータ４２３を容易に特定し、そのディスクイメージデータ内においてのみ、指定されたUMIDに対応するクリップを検索すれば良いので、再生装置４００は、その処理の負荷を、UMIDより直接クリップを検索する場合と比較して、軽減させることができる。これにより、再生装置４００は、記録媒体に記録された情報を、より容易に識別することができる。
【０２６１】
また、図３６に示されるように、再生装置が１つのドライブを有し、さらに、そのドライブに複数のディスクの中から選択されたディスクを装填する自動装填部を有するようにしてもよい。なお、図３６において、図３２の再生装置３５０と対応する部分には同一の符号を付しており、その説明を適宜省略する。
【０２６２】
図３６の再生装置４５０は、基本的に図３２の再生装置３５０と同様の構成であるが、再生装置３５０のドライブ１２６−１乃至ドライブ１２６−３の代わりに、１台のドライブ１２６と、そのドライブ１２６に、３枚のディスク１３２−１乃至１３２−３の中から１枚のディスク１３２を選択し、自動装填する児童装填部４７１とを有し、バス１１７に、自動装填部制御部４６２を有する再生制御部４６１が接続されている点が再生装置３５０と異なる。
【０２６３】
図３２の再生装置３５０と同様に、クリップ検索部３７１の検索処理により目的のクリップが記録されているディスク（PROAV ID）が特定されると、再生制御部４６１のクリップ検索部３７１は、そのPROAV IDを自動装填部制御部４６２に供給する。自動装填部制御部４６２は、自動装填部４７１に装填可能なように装着された３枚のディスク１３２−１乃至１３２−３のそれぞれのインデックスファイルに記述されているPROAV IDを管理しており、その管理情報に基づいて、自動装填部４７１を制御し、特定されたPROAV IDに対応するディスク１３２をドライブ１２６に装填させる。クリップ検索部３７１は、そのドライブ１２６に装填されたディスク１３２の中において、指定されたUMIDに対応するクリップを検索する。
【０２６４】
次に、図３７のフローチャートを参照して、再生装置４５０によるクリップ検索処理について説明する。
【０２６５】
クリップ検索処理が開始されると、再生制御部４６１のクリップ検索部３７１は、ステップＳ２０１において、指定されたUMIDを、インデックスファイル保持部１５１に保持されている複数のインデックスファイル（以下、インデックスファイル群と称する）より検索し、指定されたUMIDが記述されたインデックスファイル（指定されたクリップが存在するフォーマット）、すなわち、指定されたUMIDに対応するPROAV IDを特定する。
【０２６６】
クリップ検索部３７１は、特定したPROAV IDの情報を特定した自動装填部制御部４６２に供給し、ステップＳ２０２に処理を進める。自動装填部制御部４６２は、ステップＳ２０２において、自動装填部４７１に用意されているディスク１３２を管理する管理情報に基づいて、取得したPROAV IDが対応するフォーマットが記録されているディスク１３２を特定し、自動装填部４７１を制御して、そのディスクをドライブ１２６に装填させる。すなわち、自動装填部制御部４６２は、ステップＳ２０２において、自動装填部４７１に用意されているディスクのPROAV IDに関する情報を管理する管理情報より、取得したPROAV IDと一致するPROAV IDを検索し、そのPROAV IDに対応するディスク１３２を特定する。そして、自動装填部制御部４６２は、自動装填部４７１を制御し、特定したディスク１３２をドライブ１２６に装填させる。ディスクが装填されると、自動装填部制御部４６２は、処理をステップＳ２０３に進める。
【０２６７】
ステップＳ２０３において、クリップ検索部３７１は、ドライブ１２６に装填されたディスク１２３にアクセスし、そのディスク１２３内において、指定されたUMIDに対応するクリップを検索する。
【０２６８】
検索が終了すると、クリップ制御部３７１は、ステップＳ２０４において、アクセスしたディスク１３２に指定されたUMIDに対応するクリップが存在するか否かを判定する。指定されたUMIDに対応するクリップが存在すると判定した場合、クリップ検索部３７１は、その判定結果を再生制御部３５５に供給するとともに、ステップＳ２０５に処理を進める。再生制御部３５５は、ステップＳ２０５において、取得した判定結果に基づいて、UMIDに対応するクリップを読み出し、クリップ検索処理を終了する。
【０２６９】
また、ステップＳ２０４において、例えば、ディスク１３２がインデックスファイルを読み出された後、そのクリップが削除されるなどして、指定されたUMIDに対応するクリップが存在しないと判定した場合、クリップ検索部３７１は、ステップＳ２０６に処理を進め、エラー処理を実行し、クリップ検索処理を終了する。
【０２７０】
以上のように、PROAV IDを利用してクリップ検索処理を実行することにより、目的のクリップが存在するディスク１３２を容易に特定し、そのディスク１３２をドライブ１２６に装填し、そのディスク１３２内においてのみ、指定されたUMIDに対応するクリップを検索すれば良いので、再生装置４５０は、その処理の負荷を、UMIDより直接クリップを検索する場合と比較して、軽減させることができる。これにより、再生装置４５０は、記録媒体に記録された情報を、より容易に識別することができる。
【０２７１】
なお、図３６において、再生装置４５０の自動装填部４７１は、３つのディスク１３２−１乃至１３２−３より１枚を選択し、ドライブ１２６に装填するように説明したが、これに限らず、自動装填部４７１がドライブ１２６に装填可能なディスクの枚数は何枚であってもよく、２枚以下であってもよいし、４枚以上であってももちろんよい。
【０２７２】
なお、再生装置４５０がエディットリストを検索する場合も、図３７のフローチャートを参照して説明した、クリップを検索する場合と同様の処理が行われるので、その説明は省略する。
【０２７３】
また、上述した以外にも、再生装置は、例えば、図３８に示されるように、１台のドライブを有し、その再生装置とは別体として構成されるディスク棚に収納されている複数のディスクを管理し、その複数のディスクの中からユーザにより選択されてドライブに装着された１枚のディスクに記録されているクリップやエディットリストを再生するようにしてもよい。なお、図３８において、図３２の再生装置３５０と対応する部分には同一の符号を付しており、その説明を適宜省略する。
【０２７４】
図３８の再生装置５００は、基本的に図３２の再生装置３５０と同様の構成であるが、再生装置３５０のドライブ１２６−１乃至ドライブ１２６−３の代わりに、１台のドライブ１２６有している点が再生装置３５０と異なる。また、再生装置５００と別体に構成されるディスク棚５３１があり、ディスク棚５３１には、３枚のディスク１３２−１乃至ディスク１３２−３が収納されている。再生装置５００は、このディスク棚５３１に収納されているディスク１３２−１乃至ディスク１３２−３に記録されているクリップやエディットリストの情報を情報保持部１１４に保持し、管理している。
【０２７５】
図３２の再生装置３５０と同様に、クリップ検索部３７１の検索処理により目的のクリップが記録されているディスク（PROAV ID）が特定されると、再生制御部４６１のクリップ検索部３７１は、そのPROAV IDと、指定されたUMIDを含む検索結果を出力部１２２に供給し、ディスプレイに表示する等して、その検索結果を出力させる。再生装置５００のユーザは、その表示されるなどした検索結果に基づいて、ディスク棚５３１に収納されているディスク１３２−１乃至ディスク１３２−３の中から１枚を選択し、ドライブ１２６に装着する。ディスク１３２がドライブ１２６に装着されると、再生装置５００の再生制御部３５５は、通常のクリップ再生処理を実行し、そのディスク１３２より目的のクリップを読み出して再生する。
【０２７６】
次に、図３９のフローチャートを参照して、再生装置５００によるクリップ検索処理について説明する。
【０２７７】
クリップ検索処理が開始されると、再生制御部３５５のクリップ検索部３７１は、ステップＳ２２１において、指定されたUMIDを、インデックスファイル保持部１５１に保持されている複数のインデックスファイル（以下、インデックスファイル群と称する）より検索し、指定されたUMIDが記述されたインデックスファイル（指定されたクリップが存在するフォーマット）、すなわち、指定されたUMIDに対応するPROAV IDを特定する。
【０２７８】
PROAV IDを特定したクリップ検索部３７１は、ステップＳ２２２に処理を進め、その特定されたPROAV IDと、指定されたUMIDを含む検索結果を出力部１２２に供給する。検索結果を取得した出力部１２２は、例えば、文字情報としてディスプレイに表示する等して、その検索結果を出力する。検索結果を出力した出力部１２２は、クリップ検索処理を終了する。
【０２７９】
以上のように出力された検索結果を参照し、再生装置５００のユーザは、ディスク棚５３１に収納されているディスク１３２−１乃至１３２−３より目的のクリップが記録されているディスク１３２を選択し、そのディスク１３２をドライブ１２６に装着することができる。
【０２８０】
以上のように、PROAV IDを利用してクリップ検索処理を実行することにより、目的のクリップが存在するディスク１３２を容易に特定することができるので、再生装置５００は、その処理の負荷を、UMIDより直接クリップを検索する場合と比較して、軽減させることができる。これにより、再生装置５００は、記録媒体に記録された情報を、より容易に識別することができる。
【０２８１】
なお、図３８において、再生装置５００は、ディスク棚５３１に収納されている３枚のディスク１３２−１乃至１３２−３に記録されている情報を管理するように説明したが、これに限らず、再生装置５００が管理するディスクの枚数（ディスク棚５３１に収納されるディスクの枚数）は、何枚であってもよく、２枚以下であってもよいし、４枚以上であってももちろんよい。また、再生装置５００が複数の棚に収納される複数のディスク１３２に記録されている情報を管理するようにしてもよい。
【０２８２】
なお、再生装置５００がエディットリストを検索する場合も、図３９のフローチャートを参照して説明した、クリップを検索する場合と同様の処理が行われるので、その説明は省略する。
【０２８３】
以上のように、図６の編集装置１００が、PROAV ID情報を、ディスクメタデータファイルやインデックスファイルに含めてディスク１３２に記録することにより、クリップやエディットリストを再生する再生装置においても、PROAV IDを利用してクリップ検索処理を実行することにより、目的のクリップが存在するディスク１３２を容易に特定することができ、クリップを検索する処理の負荷を、UMIDより直接クリップを検索する場合と比較して、軽減させることができる。
【０２８４】
なお、以上においては、UMIDとPROAV IDを用いてクリップやエディットリストの検索を行う場合について説明したが、これに限らず、例えば，ファイル名や代表画等のフレーム画像情報をPROAV IDと組み合わせて検索するようにしてもよい。その場合においても、上述した処理と同様の処理が行われる。
【０２８５】
以上のように、PROAV IDやディスクの代表画に関する情報を含むディスクメタデータファイルを、クリップやエディットリストの記録媒体であるディスクに記録することにより、図６の編集装置１００は、記録媒体に記録された情報を、より容易に識別可能にすることができるし、編集装置１００以外の再生装置においても、そのディスクメタデータファイルを利用して、記録媒体に記録された情報を、より容易に識別することができる。
【０２８６】
図４０に示される具体例を参照して、上述した各情報が管理されるファイルやその利用方法について説明する。
【０２８７】
ディスク１３２に記録されるクリップやエディットリスト、または、それらに関する情報は、図２２乃至図２４を参照して説明したように、図４０に示されるようなディレクトリ構造により管理される。
【０２８８】
ディスク１３２に記録されるフォーマットを識別するIDであるPROAV ID５５１は、PROAVディレクトリ２５２の下において管理されるインデックスファイル（INDEX.XML）２５４の生成時に生成され、このインデックスファイル（Index File）２５４に格納される。また、このPROAV ID５５１は、複製され、ディスクメタデータファイル（DISCMETA.XML）２５３にも格納される。
【０２８９】
PROAV ID５５１は、ディスク１３２の外部より、ディスク１３２の内部のディスクメタデータファイル２５３を取り出し、加工後（更新後）、元のディスク１３２に戻す（上書き記録する）場合に、そのディスク１３２が本当に元のディスクであること（フォーマットが変化していないこと）を確認する際に用いられる。また、PROAV ID５５１は、ディスクメタデータファイル（Disc Meta）２５３において、プロフェッショナルディスク（Professional Disc）層でのIDとして利用される。すなわち、ディスクメタデータファイル２５３は、このPROAV IDを持ったディスク（ディスクメタデータファイル２５３のPROAV IDとインデックスファイル２５４のPROAV IDとが一致するディスク）でのみ、情報としての意味を持ち、その情報が有効となる。
【０２９０】
なお、以上においては、ディスクメタデータファイル２５３において、PROAV IDを利用する場合について説明したが、これに限らず、例えば、クリップメタデータやエディットリスト用クリップメタデータ等のメタデータ（NRT Meta）において、ディスクメタデータファイル２５３と同様の方法でPROAV IDを利用するようにしてもよい。その場合、上述したような、ディスクメタデータファイルの場合と同様の処理が行われる。
【０２９１】
ディスク１３２に記録されている全てのフレーム画像の代表である、ディスクの代表画の設定情報（ディスクの代表画情報）５５２は、ユーザ等に指定された代表クリップと代表フレーム番号を指定する情報により構成される。なお、ユーザ等による指定がない場合（デフォルトの場合）、代表クリップは、このディスク１３２に最初に記録されたクリップが選択され、代表フレーム番号は先頭フレーム番号（すなわち、「１」）に設定される（C0001-1）。
【０２９２】
このディスクの代表画は、ユーザ等により設定される場合、後述するクリップの代表画より選択的に設定される。また、このディスクの代表画に設定される代表クリップおよび代表フレーム番号は、本線映像データである画像データファイル（C0001V01.MXF）２７２、またはプロキシ映像（サブストリーム）データであるローレゾデータファイル（C0001S01.MXF）２８１のいずれに対応付けられてもよい。これらの選択は、取扱機器やソフトウェア等によって選ぶことができる。
【０２９３】
このようなフォーマット全体に対する情報に対して、各クリップ、すなわち、クリップインフォメーションファイル（C0001C01.SMI）２７１には、クリップ（Clip）のUMID５５３が、クリップインフォメーションファイル２７１の生成時に生成され、格納される。
【０２９４】
このクリップのUMID５５３は、インデックスファイル２５４にも格納され、管理される。さらに、クリップのUMID５５３は、同じクリップのクリップメタデータファイル（C0001M01.XML）２８２、およびフレームメタデータファイル（C0001R01.BIM）２８３にも格納される。クリップメタデータファイル（ClipのNRT）２８２、およびフレームメタデータファイル（ClipのRT）２８３は、参照するクリップをこのクリップのUMID５５３で表す。
【０２９５】
また、クリップのUMID５５３は、そのクリップを編集したエディットリスト（Edit List）、すなわち、エディットリストファイル（E0002E01.SMI）２９１にも格納される。エディットリストファイル２９１は、そこから参照するクリップをクリップのUMIDで表す。
【０２９６】
また、各クリップのクリップメタデータファイル２８２には、クリップの代表画に関する情報であるクリップの代表画情報（Clipの代表画情報）５５４が格納される。クリップの代表画情報５５４は、ユーザ等に指定された、そのクリップの代表フレーム番号により構成される。なお、ユーザ等による指定がない場合（デフォルトの場合）、代表フレーム番号は先頭フレーム番号（すなわち、「１」）に設定される（C0001-1）。また、このクリップの代表画に設定される代表フレーム番号は、本線映像データである画像データファイル２７２、またはローレゾデータファイル２８１のいずれに対応付けられてもよい。これらの選択は、取扱機器やソフトウェア等によって選ぶことができる。
【０２９７】
以上のクリップに対して、エディットリスト、すなわち、エディットリストファイル２９１にもエディットリストのUMID（Edit ListのUMID）５５５が、エディットリストファイル２９１の生成時に生成され、格納される。このエディットリストのUMID５５５は、エディットリスト用クリップメタデータ（E0002M01.XML）２９２にも格納される。このエディットリスト用クリップメタデータ（Edit ListのNRT）２９２は、そこから参照するエディットリスト（Edit List）をこのエディットリストのUMID５５５で表す。
【０２９８】
以上のように、各情報は、それぞれ異なる使用目的において異なる使用方法で利用される。従って、上述したこれらの情報は、異なる役割を果たすために用いられる。
【０２９９】
なお、以上においては、ディスクメタデータファイルやPROAV IDを、クリップやエディットリストを再生する再生装置において利用する場合について説明したが、これに限らず、例えば、図４１に示されるようにクリップやエディットリストを記録したり、再生したりする記録再生装置においても利用することができる。なお、図４１において、図３２の再生装置３５０と対応する部分には同一の符号を付しており、その説明を適宜省略する。
【０３００】
図４１の記録再生装置６００は、クリップやエディットリストを記録したり、再生したりすることができる装置であり、その構成は、図３２に示される再生装置３５０の構成に、図６の編集装置１００の記録制御部１１６、および計時部１１８を、バス１１７に接続するように、追加した構成となっている。
【０３０１】
このような構成にすることにより、記録再生装置６００は、図３２に示される再生装置３５０と同様の処理を行い、ユーザがディスクメタデータファイルを参照したり、PROAV IDを用いてクリップやエディットリストを検索したりすることができる。また、記録再生装置６００は、図６の編集装置１００の場合と同様の処理を行い、ディスク１３２に、PROAV IDや代表画情報等を含むディスクメタデータファイル等を記録することができる。
【０３０２】
これにより、記録再生装置６００は、記録媒体に記録された情報を、より容易に識別することができるように記録媒体の利便性を向上させることができるとともに、その記録媒体に記録された情報を、より容易に識別することができる。
【０３０３】
以上のように、本発明を適用した編集装置、再生装置、または記録再生装置は、記録媒体に記録されたデータのラベル情報となるようなディスクメタデータファイルや、管理情報であるインデックスファイルを記録媒体に記録したり、その記録されたディスクメタデータファイルやインデックスファイル等を利用したりすることができるような処理を行えばよく、このような内容の処理と同様の処理であれば、どのような方法で処理を行ってもよいし、このような処理以外の処理をさらに行ってもよい。また、本発明を適用した編集装置、再生装置、または記録再生装置の構成は、このような処理を実行可能であれば、上述した構成以外の構成であってももちろんよい。
【０３０４】
上述した一連の処理は、ハードウエアにより実行させることもできるし、ソフトウエアにより実行させることもできる。ソフトウェアにより実行される場合、上述した編集装置、再生装置、または記録再生装置は、図４２に示されるようなパーソナルコンピュータにより構成される。なお、図４２において、図６に示される場合と同様の部分については同一の符号を付しており、その説明を省略する。
【０３０５】
図４２において、パーソナルコンピュータ６５０のCPU６５１は、ROM６５２に記憶されているプログラム、または記憶部６６３からRAM６５３にロードされたプログラムに従って各種の処理を実行する。RAM６５３にはまた、CPU６５１が各種の処理を実行する上において必要なデータなども適宜記憶される。
【０３０６】
CPU６５１、ROM６５２、およびRAM６５３は、バス６５４を介して相互に接続されている。このバス６５４にはまた、入出力インタフェース６６０も接続されている。
【０３０７】
入出力インタフェース６６０には、キーボード、マウスなどよりなる入力部６６１、CRT(Cathode Ray Tube)、LCD(Liquid Crystal display)などよりなるディスプレイ、並びにスピーカなどよりなる出力部６６２、ハードディスクなどより構成される記憶部６６３、モデムなどより構成される通信部６６４、並びに、ディスク１３２が装着されるドライブ１２６が接続されている。通信部６６４は、インターネットを含むネットワークを介しての通信処理を行う。
【０３０８】
入出力インタフェース６６０にはまた、必要に応じてドライブ６６５が接続され、磁気ディスク、光ディスク、光磁気ディスク、或いは半導体メモリなどのリムーバブルメディア６７１が適宜装着され、それらから読み出されたコンピュータプログラムが、必要に応じて記憶部６６３にインストールされる。
【０３０９】
一連の処理をソフトウエアにより実行させる場合には、そのソフトウエアを構成するプログラムが、ネットワークや記録媒体からインストールされる。
【０３１０】
この記録媒体は、図６、図３２、図３５、図３６、図３８、図４１または図４２に示されるように、装置本体とは別に、ユーザにプログラムを提供するために配布される、プログラムが記録されている磁気ディスク（フロッピディスクを含む）、光ディスク（CD-ROM(Compact Disk-Read Only Memory),DVD(Digital Versatile Disk)を含む）、光磁気ディスク（ＭＤ（Mini-Disk）を含む）、もしくは半導体メモリなどよりなるリムーバブルメディア１３１またはリムーバブルメディア６７１により構成されるだけでなく、装置本体に予め組み込まれた状態でユーザに提供される、プログラムが記録されているROM１１２またはROM６５２や、記憶部１２３または記憶部６６３に含まれるハードディスクなどで構成される。
【０３１１】
なお、本明細書において、媒体により提供されるプログラムを記述するステップは、記載された順序に従って、時系列的に行われる処理は勿論、必ずしも時系列的に処理されなくとも、並列的あるいは個別に実行される処理をも含むものである。
【０３１２】
また、本明細書において、システムとは、複数の装置により構成される装置全体を表すものである。
【０３１３】
【発明の効果】
以上のように、本発明によれば、画像データや音声データ等を記録媒体に記録することができる。特に、記録媒体に記録された情報を、より容易に識別することができるようにする等の、記録媒体の利便性を向上させることができる。
【図面の簡単な説明】
【図１】拡張UMIDの構成例を示す図である。
【図２】図１のマテリアル番号の詳細な構成例を示す図である。
【図３】図２のタイムスナップの詳細な構成例を示す図である。
【図４】図１のマテリアル番号の、他の詳細な構成例を示す図である。
【図５】図１のマテリアル番号の、さらに他の詳細な構成例を示す図である。
【図６】本発明を適用した編集装置１００の構成例を示すブロック図である。
【図７】図１の情報保持部の詳細な構成例を示すブロック図である。
【図８】図１の再生制御部の詳細な構成例を示すブロック図である。
【図９】図１の記録制御部の詳細な構成例を示すブロック図である。
【図１０】図７乃至図９に示される各部が行う処理の関係を示す機能ブロック図である。
【図１１】ディスクフォーマット処理を説明するフローチャートである。
【図１２】インデックスファイル作成処理を説明するフローチャートである。
【図１３】  PROAV ID作成処理を説明するフローチャートである。
【図１４】  PROAV IDの構成例を示すブロック図である。
【図１５】  UMIDのマテリアル番号のさらに詳細な構成例を示す図である。
【図１６】インデックスファイルのXML記述の例を示す図である。
【図１７】インデックスファイルのXML記述の例を示す、図１６に続く図である。
【図１８】インデックスファイルのXML記述の例を示す、図１７に続く図である。
【図１９】インデックスファイルのXML記述の例を示す、図１８に続く図である。
【図２０】ディスクメタデータファイル作成処理を説明するフローチャートである。
【図２１】ディスクメタデータファイルを構成することができる要素の一覧を示す表である。
【図２２】図６のディスク内のディレクトリ構造の例を示す図である。
【図２３】図２２に示されるディレクトリ構造のさらに詳細な構成例を示す図である。
【図２４】図２２に示されるディレクトリ構造のさらに詳細な構成例を示す図である。
【図２５】ディスクメタデータファイル更新処理を説明するフローチャートである。
【図２６】ディスクメタデータファイル更新処理の様子の例を説明する図である。
【図２７】クリップ追加処理を説明するフローチャートである。
【図２８】クリップインフォメーションファイルのXML記述の例を示す図である。
【図２９】クリップインフォメーションファイルのXML記述の例を示す、図２８に続く図である。
【図３０】エディットリスト追加処理を説明するフローチャートである。
【図３１】エディットリストファイルのXML記述の例を示す図である。
【図３２】本発明を適用した再生装置の構成例を示すブロック図である。
【図３３】ディスク挿入処理を説明するフローチャートである。
【図３４】クリップ検索処理を説明するフローチャートである。
【図３５】本発明を適用した再生装置の他の構成例を示すブロック図である。
【図３６】本発明を適用した再生装置の、さらに他の構成例を示すブロック図である。
【図３７】クリップ検索処理を説明するフローチャートである。
【図３８】本発明を適用した再生装置の、さらに他の構成例を示すブロック図である。
【図３９】クリップ検索処理を説明するフローチャートである。
【図４０】ディスク内に記録される情報と、その使用方法等について説明する図である。
【図４１】本発明を適用した記録再生装置の構成例を示すブロック図である。
【図４２】本発明を適用したコンピュータの一実施の形態の構成例を示すブロック図である。
【符号の説明】
１００  編集装置，  １１４  情報保持部，  １１５  再生制御部，  １１６記録制御部，  １３２  ディスク，  １５１  インデックスファイル保持部，１５２  ディスクメタデータファイル保持部，  １６１  インデックスファイル読み出し部，  １６２  ディスクメタデータファイル読み出し部，  １７１  インデックスファイル作成部，  １７２  インデックスファイル管理部，  １７３  インデックスファイル記録制御部，  １７４  UMID作成部，  １８１  ディスクメタデータファイル作成部，  １８２  ディスクメタデータファイル管理部，  １８３  ディスクメタデータファイル記録制御部，  １９１  PROAV ID作成部，  １９２  PROAV ID複製部，  １９３  PROAV ID比較部，  ２２０  PROAV ID，  ２５３  ディスクメタデータファイル，  ３０３  ディスクメタデータファイル，  ３５０  再生装置，  ３５５  再生制御部，  ３７１  クリップ検索部，  ４００  再生装置，  ４１１  ハードディスク，  ４２１乃至４２３  ディスクイメージデータ，  ４５０  再生装置，  ４６１  再生制御部，  ４６２自動装填部制御部，  ４７１  自動装填部，  ５００  再生装置，  ５３１  ディスク棚，  ５５１  PROAV ID，  ５５２  ディスクの代表画情報，  ５５３クリップのUMID，  ５５４  クリップの代表画情報，  ５５５  エディットリストのUMID，  ６００  記録再生装置，  ６５０  パーソナルコンピュータ
【図１】
0003719516.tif 000002
【図２】
0003719516.tif 000003
【図３】
0003719516.tif 000004
【図４】
0003719516.tif 000005
【図５】
0003719516.tif 000006
【図６】
0003719516.tif 000007
【図７】
0003719516.tif 000008
【図８】
0003719516.tif 000009
【図９】
0003719516.tif 000010
【図１０】
0003719516.tif 000011
【図１１】
0003719516.tif 000012
【図１２】
0003719516.tif 000013
【図１３】
0003719516.tif 000014
【図１４】
0003719516.tif 000015
【図１５】
0003719516.tif 000016
【図１６】
0003719516.tif 000017
【図１７】
0003719516.tif 000018
【図１８】
0003719516.tif 000019
【図１９】
0003719516.tif 000020
【図２０】
0003719516.tif 000021
【図２１】
0003719516.tif 000022
【図２２】
0003719516.tif 000023
【図２３】
0003719516.tif 000024
【図２４】
0003719516.tif 000025
【図２５】
0003719516.tif 000026
【図２６】
0003719516.tif 000027
【図２７】
0003719516.tif 000028
【図２８】
0003719516.tif 000029
【図２９】
0003719516.tif 000030
【図３０】
0003719516.tif 000031
【図３１】
0003719516.tif 000032
【図３２】
0003719516.tif 000033
【図３３】
0003719516.tif 000034
【図３４】
0003719516.tif 000035
【図３５】
0003719516.tif 000036
【図３６】
0003719516.tif 000037
【図３７】
0003719516.tif 000038
【図３８】
0003719516.tif 000039
【図３９】
0003719516.tif 000040
【図４０】
0003719516.tif 000041
【図４１】
0003719516.tif 000042
【図４２】
0003719516.tif 000043